(57)【要約】【課題】様々な探索物の探索が可能な探索システム及び探索装置を提供する。【解決手段】探索システム１００は、犬９に設けられ電波を発信するビーコン端末８がビーコンＩＤを含む電波を発信し、携帯情報端末１が、ビーコン端末８から電波を受信する電波受信部１１と、電波を受信したことに応じてビーコンＩＤを含む電波検知情報を管理サーバ４に送信する情報送信部１３と、を備え、管理サーバ４が、ビーコンＩＤと探索開始条件とを対応付けて記憶する条件内容テーブル５１と、携帯情報端末１から電波検知情報を受信する情報受信部４１と、電波の受信条件がビーコンＩＤに対応した探索開始条件に合致するものであるか否かを、条件内容テーブル５１及びビーコン管理テーブル５２を参照して判断する条件判断部４３と、受信条件が探索開始条件に合致する場合に、犬９に関する通知を行う通知部４４とを備える。【選択図】図２
2015184873.tif 000002
【特許請求の範囲】
【請求項１】
探索物に設けられ電波を発信する電波発信機と、
前記電波発信機から、電波を受信する携帯情報端末と、
前記携帯情報端末に対して通信可能に接続された管理装置と、を備えた探索システムであって、
前記電波発信機は、前記電波発信機を識別する装置識別情報を含む電波を発信し、
前記携帯情報端末は、
前記電波発信機から、前記装置識別情報を含む電波を受信する電波受信手段と、
前記電波受信手段が電波を受信したことに応じて、前記装置識別情報を含む電波検知情報を、前記管理装置に送信する情報送信手段と、
を備え、
前記管理装置は、
前記装置識別情報と、探索を開始するための探索開始条件とを対応付けて記憶する探索開始条件記憶部と、
前記携帯情報端末から前記電波検知情報を受信する情報受信手段と、
前記電波検知情報に含まれる前記携帯情報端末による電波の受信条件が、前記電波に含まれる前記装置識別情報に対応した探索開始条件に合致するものであるか否かを、前記探索開始条件記憶部を参照して判断する条件判断手段と、
前記条件判断手段により前記受信条件が前記探索開始条件に合致する場合に、前記探索物に関する通知を行う通知手段と、
を備えること、
を特徴とする探索システム。
【請求項２】
請求項１に記載の探索システムにおいて、
前記探索開始条件として、探索対象時間帯の情報を有し、
前記受信条件は、前記電波発信機から電波を受信した受信時刻に関する情報であり、
前記条件判断手段は、前記受信条件が前記探索対象時間帯に含まれる場合に、探索開始条件に合致するものであると判断すること、
を特徴とする探索システム。
【請求項３】
請求項１又は請求項２に記載の探索システムにおいて、
前記探索開始条件として、探索対象外の地域に関する情報を有し、
前記携帯情報端末は、位置情報を取得する位置情報取得手段を備え、
前記情報送信手段は、前記位置情報取得手段が取得した位置情報をさらに含む前記電波検知情報を送信し、
前記受信条件は、前記電波を受信した前記携帯情報端末の位置情報であり、
前記条件判断手段は、前記受信条件が探索対象の地域に含まれる場合に、探索開始条件に合致するものであると判断すること、
を特徴とする探索システム。
【請求項４】
請求項１又は請求項２に記載の探索システムにおいて、
前記管理装置は、複数の前記携帯情報端末に対して通信可能に接続されており、
前記情報送信手段は、前記携帯情報端末を識別する端末識別情報をさらに含む前記電波検知情報を送信し、
前記探索開始条件として、単位時間あたりの受信端末数に関する許容範囲情報を有し、
前記受信条件は、単位時間あたりの受信端末数の情報であり、
前記条件判断手段は、単位時間あたりの受信端末数が許容範囲外である場合に、探索開始条件に合致するものであると判断すること、
を特徴とする探索システム。
【請求項５】
請求項２に記載の探索システムにおいて、
前記管理装置は、複数の前記携帯情報端末に対して通信可能に接続されており、
前記携帯情報端末は、位置情報を取得する位置情報取得手段を備え、
前記情報送信手段は、前記携帯情報端末を識別する端末識別情報と、前記位置情報取得手段により取得した位置情報とをさらに含む前記電波検知情報を送信し、
前記探索開始条件として、距離差の許容範囲に関する情報を有し、
前記受信条件は、異なる時刻に受信した複数の前記携帯情報端末の位置情報であり、
前記条件判断手段は、異なる時刻に受信した複数の前記携帯情報端末の位置情報から算出した距離差が許容範囲外である場合に、探索開始条件に合致するものであると判断すること、
を特徴とする探索システム。
【請求項６】
請求項１から請求項３までのいずれかに記載の探索システムにおいて、
前記条件判断手段は、前記電波受信手段によって同じ前記装置識別情報を含む電波を継続して受信するか否かを判断し、
前記通知手段は、前記条件判断手段により、前記電波を継続して受信しなくなった場合に、前記探索物に関する通知を行うこと、
を特徴とする探索システム。
【請求項７】
請求項２、請求項３及び請求項６のいずれかに記載の探索システムにおいて、
前記探索物は、生物であり、
前記電波発信機は、前記探索物の生体情報を検出する生体情報検出部を備え、
前記情報送信手段は、前記生体情報検出部が検出した生体情報をさらに含む前記電波検知情報を送信し、
前記探索開始条件として、生体情報の許容範囲を有し、
受信条件は、前記電波に含まれる前記生体情報であり、
前記条件判断手段は、前記受信条件が生体情報の許容範囲を超えている場合に、探索開始条件に合致するものであると判断すること、
を特徴とする探索システム。
【請求項８】
請求項１に記載の探索システムにおいて、
前記電波発信機は、移動状態検出部を備え、
前記情報送信手段は、前記移動状態検出部が検出した移動情報をさらに含む前記電波検知情報を送信し、
前記探索開始条件として、移動情報の有無に関する情報を有し、
受信条件は、前記電波に含まれうる前記移動情報であり、
前記条件判断手段は、前記受信条件が受信した電波に前記移動状態検出部が検出した移動情報を含む場合に、探索開始条件に合致するものであると判断すること、
を特徴とする探索システム。
【請求項９】
請求項１から請求項８までのいずれかに記載の探索システムにおいて、
前記管理装置は、前記条件判断手段により前記受信条件が前記探索開始条件に合致する場合に、前記携帯情報端末に対して特典を付与する特典付与手段を備えること、
を特徴とする探索システム。
【請求項１０】
請求項９に記載の探索システムにおいて、
前記携帯情報端末は、
前記電波受信手段が電波を受信した位置に関する情報を入力可能な入力画面を出力する入力画面出力手段と、
前記入力画面に入力された入力情報を、前記管理装置に送信する入力情報送信手段と、
を備え、
前記特典付与手段は、前記携帯情報端末から前記入力情報を受信した場合に、前記特典を付与すること、
を特徴とする探索システム。
【請求項１１】
請求項１から請求項１０までのいずれかに記載の探索システムにおいて、
前記探索開始条件記憶部は、探索開始済みか否かを示す探索フラグを前記装置識別情報に対応付けて記憶し、
前記管理装置は、
前記条件判断手段により前記受信条件が前記探索開始条件に合致する場合に、前記探索開始条件記憶部の前記装置識別情報に対応する前記探索フラグを有効にするフラグ有効手段と、
前記情報受信手段が前記電波検知情報を受信したときに、前記電波に含まれる前記装置識別情報に対応した前記探索フラグを、前記探索開始条件記憶部を参照して取得するフラグ取得手段と、
前記フラグ取得手段により前記探索フラグが有効である場合は、前記携帯情報端末に対して特典を付与する特典付与手段と、
を備え、
前記条件判断手段は、前記フラグ取得手段により取得した前記探索フラグが有効でないときに行うこと、
を特徴とする探索システム。
【請求項１２】
請求項１１に記載の探索システムにおいて、
前記管理装置は、前記特典と、前記装置識別情報とを対応付けて記憶する特典記憶部を備え、
前記特典付与手段は、前記条件判断手段により条件を満たすと判断されたときから所定時間内に受信した前記携帯情報端末の端末数に応じて、前記特典記憶部に記憶された前記特典を分配して付与すること、
を特徴とする探索システム。
【請求項１３】
請求項１１に記載の探索システムにおいて、
前記特典付与手段は、前記条件判断手段により条件を満たすと判断された後に受信した前記携帯情報端末の順番に応じて行うこと、
を特徴とする探索システム。
【請求項１４】
請求項１３に記載の探索システムにおいて、
前記特典付与手段は、前記携帯情報端末の順番に応じて前記特典の量を傾斜配分して付与すること、
を特徴とする探索システム。
【請求項１５】
請求項９から請求項１１までのいずれかに記載の探索システムにおいて、
前記特典付与手段は、前記条件判断手段により条件を満たすと判断されたときから受信した電波に含む前記装置識別情報の数に応じて行うこと、
を特徴とする探索システム。
【請求項１６】
請求項１から請求項１５までのいずれかに記載の探索システムにおいて、
前記電波発信機は、所定の時間間隔で電波を発信するものであり、
前記条件判断手段は、前記情報受信手段が受信した前記電波検知情報の受信回数が一定数以上である場合に、前記受信条件が前記探索開始条件に合致するものであるか否かを判断すること、
を特徴とする探索システム。
【請求項１７】
請求項１から請求項１６までのいずれかに記載の探索システムにおいて、
前記電波検知情報には、前記電波の電波強度に関する情報を含み、
前記条件判断手段は、前記情報受信手段が受信した前記電波検知情報に含まれる電波強度が所定の強度以上である場合に、前記探索開始条件に合致するものであるか否かを判断すること、
を特徴とする探索システム。
【請求項１８】
請求項１７に記載の探索システムにおいて、
前記電波発信機は、電波強度の異なる複数の電波を所定間隔で発信させるものであること、
を特徴とする探索システム。
【請求項１９】
請求項１から請求項３まで、及び請求項６から請求項８までのいずれかに記載の探索システムであって、
前記管理装置と、前記携帯情報端末とは、一体の装置であること、
を特徴とする探索システム。
【請求項２０】
探索物に設けられ電波を発信する電波発信機を識別する装置識別情報と、探索を開始するための探索開始条件とを対応付けて記憶する探索開始条件記憶部と、
前記電波発信機から、前記装置識別情報を含む電波を受信する電波受信手段と、
前記電波受信手段による電波の受信条件が、前記電波に含まれる前記装置識別情報に対応した探索開始条件に合致するものであるか否かを、前記探索開始条件記憶部を参照して判断する条件判断手段と、
前記条件判断手段により前記受信条件が前記探索開始条件に合致する場合に、前記探索物に関する通知を行う通知手段と、
を備える探索装置。
【発明の詳細な説明】
【技術分野】
【０００１】
本発明は、探索システム及び探索装置に関する。
【背景技術】
【０００２】
従来、子供が誘拐等された場合に、子供の居場所等の捜索を行うことができるシステムが開示されている（例えば、特許文献１）。
【先行技術文献】
【特許文献】
【０００３】
【特許文献１】特開２００７−１５０９０４号公報
【発明の概要】
【発明が解決しようとする課題】
【０００４】
子供等だけでなく、様々な種類や用途の捜索をして欲しいというニーズは、多く存在する。
【０００５】
本発明は、様々な探索物の探索が可能な探索システム及び探索装置を提供することを目的とする。
【課題を解決するための手段】
【０００６】
本発明は、以下のような解決手段により、前記課題を解決する。
第１の発明は、探索物に設けられ電波を発信する電波発信機と、前記電波発信機から、電波を受信する携帯情報端末と、前記携帯情報端末に対して通信可能に接続された管理装置と、を備えた探索システムであって、前記電波発信機は、前記電波発信機を識別する装置識別情報を含む電波を発信し、前記携帯情報端末は、前記電波発信機から、前記装置識別情報を含む電波を受信する電波受信手段と、前記電波受信手段が電波を受信したことに応じて、前記装置識別情報を含む電波検知情報を、前記管理装置に送信する情報送信手段と、を備え、前記管理装置は、前記装置識別情報と、探索を開始するための探索開始条件とを対応付けて記憶する探索開始条件記憶部と、前記携帯情報端末から前記電波検知情報を受信する情報受信手段と、前記電波検知情報に含まれる前記携帯情報端末による電波の受信条件が、前記電波に含まれる前記装置識別情報に対応した探索開始条件に合致するものであるか否かを、前記探索開始条件記憶部を参照して判断する条件判断手段と、前記条件判断手段により前記受信条件が前記探索開始条件に合致する場合に、前記探索物に関する通知を行う通知手段と、を備えること、を特徴とする探索システムである。
第２の発明は、第１の発明の探索システムにおいて、前記探索開始条件として、探索対象時間帯の情報を有し、前記受信条件は、前記電波発信機から電波を受信した受信時刻に関する情報であり、前記条件判断手段は、前記受信条件が前記探索対象時間帯に含まれる場合に、探索開始条件に合致するものであると判断すること、を特徴とする探索システムである。
第３の発明は、第１の発明又は第２の発明の探索システムにおいて、前記探索開始条件として、探索対象外の地域に関する情報を有し、前記携帯情報端末は、位置情報を取得する位置情報取得手段を備え、前記情報送信手段は、前記位置情報取得手段が取得した位置情報をさらに含む前記電波検知情報を送信し、前記受信条件は、前記電波を受信した前記携帯情報端末の位置情報であり、前記条件判断手段は、前記受信条件が探索対象の地域に含まれる場合に、探索開始条件に合致するものであると判断すること、を特徴とする探索システムである。
第４の発明は、第１の発明又は第２の発明の探索システムにおいて、前記管理装置は、複数の前記携帯情報端末に対して通信可能に接続されており、前記情報送信手段は、前記携帯情報端末を識別する端末識別情報をさらに含む前記電波検知情報を送信し、前記探索開始条件として、単位時間あたりの受信端末数に関する許容範囲情報を有し、前記受信条件は、単位時間あたりの受信端末数の情報であり、前記条件判断手段は、単位時間あたりの受信端末数が許容範囲外である場合に、探索開始条件に合致するものであると判断すること、を特徴とする探索システムである。
第５の発明は、第２の発明の探索システムにおいて、前記管理装置は、複数の前記携帯情報端末に対して通信可能に接続されており、前記携帯情報端末は、位置情報を取得する位置情報取得手段を備え、前記情報送信手段は、前記携帯情報端末を識別する端末識別情報と、前記位置情報取得手段により取得した位置情報とをさらに含む前記電波検知情報を送信し、前記探索開始条件として、距離差の許容範囲に関する情報を有し、前記受信条件は、異なる時刻に受信した複数の前記携帯情報端末の位置情報であり、前記条件判断手段は、異なる時刻に受信した複数の前記携帯情報端末の位置情報から算出した距離差が許容範囲外である場合に、探索開始条件に合致するものであると判断すること、を特徴とする探索システムである。
第６の発明は、第１の発明から第３の発明までのいずれかの探索システムにおいて、前記条件判断手段は、前記電波受信手段によって同じ前記装置識別情報を含む電波を継続して受信するか否かを判断し、前記通知手段は、前記条件判断手段により、前記電波を継続して受信しなくなった場合に、前記探索物に関する通知を行うこと、を特徴とする探索システムである。
第７の発明は、第２の発明、第３の発明及び第６の発明のいずれかの探索システムにおいて、前記探索物は、生物であり、前記電波発信機は、前記探索物の生体情報を検出する生体情報検出部を備え、前記情報送信手段は、前記生体情報検出部が検出した生体情報をさらに含む前記電波検知情報を送信し、前記探索開始条件として、生体情報の許容範囲を有し、受信条件は、前記電波に含まれる前記生体情報であり、前記条件判断手段は、前記受信条件が生体情報の許容範囲を超えている場合に、探索開始条件に合致するものであると判断すること、を特徴とする探索システムである。
第８の発明は、第１の発明の探索システムにおいて、前記電波発信機は、移動状態検出部を備え、前記情報送信手段は、前記移動状態検出部が検出した移動情報をさらに含む前記電波検知情報を送信し、前記探索開始条件として、移動情報の有無に関する情報を有し、受信条件は、前記電波に含まれうる前記移動情報であり、前記条件判断手段は、前記受信条件が受信した電波に前記移動状態検出部が検出した移動情報を含む場合に、探索開始条件に合致するものであると判断すること、を特徴とする探索システムである。
第９の発明は、第１の発明から第８の発明までのいずれかの探索システムにおいて、前記管理装置は、前記条件判断手段により前記受信条件が前記探索開始条件に合致する場合に、前記携帯情報端末に対して特典を付与する特典付与手段を備えること、を特徴とする探索システムである。
第１０の発明は、第９の発明の探索システムにおいて、前記携帯情報端末は、前記電波受信手段が電波を受信した位置に関する情報を入力可能な入力画面を出力する入力画面出力手段と、前記入力画面に入力された入力情報を、前記管理装置に送信する入力情報送信手段と、を備え、前記特典付与手段は、前記携帯情報端末から前記入力情報を受信した場合に、前記特典を付与すること、を特徴とする探索システムである。
第１１の発明は、第１の発明から第１０の発明までのいずれかの探索システムにおいて、前記探索開始条件記憶部は、探索開始済みか否かを示す探索フラグを前記装置識別情報に対応付けて記憶し、前記管理装置は、前記条件判断手段により前記受信条件が前記探索開始条件に合致する場合に、前記探索開始条件記憶部の前記装置識別情報に対応する前記探索フラグを有効にするフラグ有効手段と、前記情報受信手段が前記電波検知情報を受信したときに、前記電波に含まれる前記装置識別情報に対応した前記探索フラグを、前記探索開始条件記憶部を参照して取得するフラグ取得手段と、前記フラグ取得手段により前記探索フラグが有効である場合は、前記携帯情報端末に対して特典を付与する特典付与手段と、を備え、前記条件判断手段は、前記フラグ取得手段により取得した前記探索フラグが有効でないときに行うこと、を特徴とする探索システムである。
第１２の発明は、第１１の発明の探索システムにおいて、前記管理装置は、前記特典と、前記装置識別情報とを対応付けて記憶する特典記憶部を備え、前記特典付与手段は、前記条件判断手段により条件を満たすと判断されたときから所定時間内に受信した前記携帯情報端末の端末数に応じて、前記特典記憶部に記憶された前記特典を分配して付与すること、を特徴とする探索システムである。
第１３の発明は、第１１の発明の探索システムにおいて、前記特典付与手段は、前記条件判断手段により条件を満たすと判断された後に受信した前記携帯情報端末の順番に応じて行うこと、を特徴とする探索システムである。
第１４の発明は、第１３の発明の探索システムにおいて、前記特典付与手段は、前記携帯情報端末の順番に応じて前記特典の量を傾斜配分して付与すること、を特徴とする探索システムである。
第１５の発明は、第９の発明から第１１の発明までのいずれかの探索システムにおいて、前記特典付与手段は、前記条件判断手段により条件を満たすと判断されたときから受信した電波に含む前記装置識別情報の数に応じて行うこと、を特徴とする探索システムである。
第１６の発明は、第１の発明から第１５の発明までのいずれかの探索システムにおいて、前記電波発信機は、所定の時間間隔で電波を発信するものであり、前記条件判断手段は、前記情報受信手段が受信した前記電波検知情報の受信回数が一定数以上である場合に、前記受信条件が前記探索開始条件に合致するものであるか否かを判断すること、を特徴とする探索システムである。
第１７の発明は、第１の発明から第１６の発明までのいずれかの探索システムにおいて、前記電波検知情報には、前記電波の電波強度に関する情報を含み、前記条件判断手段は、前記情報受信手段が受信した前記電波検知情報に含まれる電波強度が所定の強度以上である場合に、前記探索開始条件に合致するものであるか否かを判断すること、を特徴とする探索システムである。
第１８の発明は、第１７の発明の探索システムにおいて、前記電波発信機は、電波強度の異なる複数の電波を所定間隔で発信させるものであること、を特徴とする探索システムである。
第１９の発明は、第１の発明から第３の発明まで、及び第６の発明から第８の発明までのいずれかの探索システムであって、前記管理装置と、前記携帯情報端末とは、一体の装置であること、を特徴とする探索システムである。
【０００７】
第２０の発明は、探索物に設けられ電波を発信する電波発信機を識別する装置識別情報と、探索を開始するための探索開始条件とを対応付けて記憶する探索条件記憶部と、前記電波発信機から、前記装置識別情報を含む電波を受信する電波受信手段と、前記電波受信手段による電波の受信条件が、前記電波に含まれる前記装置識別情報に対応した探索開始条件に合致するものであるか否かを、前記探索条件記憶部を参照して判断する条件判断手段と、前記条件判断手段により前記受信条件が前記探索開始条件に合致する場合に、前記探索物に関する通知を行う通知手段と、を備える探索装置である。
【発明の効果】
【０００８】
本発明によれば、様々な探索物の探索が可能な探索システム及び探索装置を提供することができる。
【図面の簡単な説明】
【０００９】
【図１】第１実施形態に係る探索システムの全体構成図である。
【図２】第１実施形態に係る探索システムの各装置の機能ブロック図である。
【図３】第１実施形態に係る携帯情報端末での処理を示すフローチャートである。
【図４】第１実施形態に係る携帯情報端末の表示例を示す図である。
【図５】第１実施形態に係る管理サーバでの探索処理を示すフローチャートである。
【図６】第１実施形態に係る管理サーバの記憶部に記憶された各テーブルの例を示す図である。
【図７】第１実施形態に係る管理サーバでの探索条件判断処理を示すフローチャートである。
【図８】第１実施形態に係る管理サーバの記憶部に記憶された条件内容テーブルの例を示す図である。
【図９】第１実施形態に係る管理サーバでの情報提供によるクーポン付与処理を示すフローチャートである。
【図１０】第２実施形態に係る探索システムの全体構成図及び携帯情報端末と管理サーバとの機能ブロック図である。
【図１１】第２実施形態に係る携帯情報端末での処理を示すフローチャートである。
【図１２】第２実施形態に係る管理サーバでの探索処理を示すフローチャートである。
【図１３】第２実施形態に係る管理サーバでの探索条件判断処理を示すフローチャートである。
【図１４】第３実施形態に係る探索システムの全体構成図及び管理サーバとビーコン端末との機能ブロック図である。
【図１５】第３実施形態に係る管理サーバでの探索処理を示すフローチャートである。
【図１６】第４実施形態に係る探索システムの全体概要図である。
【図１７】第４実施形態に係る管理サーバの機能ブロック図及び記憶部に記憶されたデジタルスタンプテーブルの例を示す図である。
【図１８】第４実施形態に係る携帯情報端末での処理を示すフローチャートである。
【図１９】第４実施形態に係る管理サーバでの探索処理を示すフローチャートである。
【図２０】第５実施形態に係る探索システムの全体構成図及び管理サーバの機能ブロック図である。
【図２１】第５実施形態に係る管理サーバでの探索条件判断処理を示すフローチャートである。
【図２２】第６実施形態に係る探索システムの機能ブロック図である。
【図２３】第６実施形態に係る携帯情報端末での処理を示すフローチャートである。
【図２４】第６実施形態に係る携帯情報端末の表示例を示す図である。
【図２５】第６実施形態に係る管理サーバでの探索処理を示すフローチャートである。
【図２６】第６実施形態に係る管理サーバでの順位決定処理を示すフローチャートである。
【発明を実施するための形態】
【００１０】
以下、本発明を実施するための形態について、図を参照しながら説明する。なお、これは、あくまでも一例であって、本発明の技術的範囲はこれに限られるものではない。
（第１実施形態）
＜探索システム１００の全体構成＞
図１は、第１実施形態に係る探索システム１００の全体概要図である。
図２は、第１実施形態に係る探索システム１００の各装置の機能ブロック図である。
図１に示す探索システム１００は、携帯情報端末１と、携帯情報端末３と、管理サーバ４（管理装置）と、ビーコン端末８（電波発信機）とを備えている。
【００１１】
探索システム１００では、依頼人Ｘは、まず、紛失しては困るもの（つまり、探索物）に対してビーコン端末８を取り付けておく。本実施形態（図１）の場合、ビーコン端末８は、依頼人Ｘのペットである犬９（探索物）の首輪に取り付け（設け）られている。携帯情報端末１は、各ユーザが所持するものであり、様々な位置に包囲網のように存在する。そして、犬９の周辺に偶然に位置したユーザＡの携帯情報端末１Ａ（以下、ユーザＡの携帯情報端末１を特定する場合には、携帯情報端末１Ａとする。）は、犬９に取り付けられたビーコン端末８が発信する電波（以下、ビーコン端末８が発信する電波を、ビーコン電波ともいう。）を受信して、管理サーバ４に電波検知情報を送信する。ユーザと依頼人Ｘとは、知り合いであってもなくてもよい。
そして、探索システム１００では、管理サーバ４は、携帯情報端末１Ａから受信した電波検知情報の受信条件によって、ビーコン端末８を取り付けた犬９が探索開始条件に合致したものであるか否かを判断する。例えば、犬９が飼い主である依頼人Ｘの家から逃げ出した場合等、依頼人Ｘが犬９を探してもらいたいとして事前に登録した探索開始条件に合致すると、管理サーバ４は、依頼人Ｘに対して通知を行う。
そして、その後は、複数の携帯情報端末１が、犬９の探索を行うことができる。依頼人Ｘは、管理サーバ４からの通知により、依頼人Ｘ自らが所持する携帯情報端末３を何ら操作することなく、逃げ出した犬９に関する通知を受け取ることができる。
【００１２】
次に、各装置の構成について説明する。
＜携帯情報端末１＞
携帯情報端末１は、例えば、スマートフォンに代表されるコンピュータの機能を併せ持った携帯電話機等である。携帯情報端末１は、その他、タブレット端末であってもよい。
携帯情報端末１は、ビーコン端末８との間で、例えば、Ｂｌｕｅｔｏｏｔｈ（登録商標）による近距離無線通信を行うことができる。また、携帯情報端末１は、無線通信の基地局Ｂと通信ネットワークＮとを介して、管理サーバ４と通信可能になっている。
なお、基地局Ｂは、携帯情報端末１と管理サーバ４との間の通信をするための中継を行う。基地局Ｂは、例えば、無線ＬＡＮ（Ｌｏｃａｌ  Ａｒｅａ  Ｎｅｔｗｏｒｋ）の基地局や、通信事業者の携帯端末通信網用の基地局等である。
また、通信ネットワークＮは、管理サーバ４と基地局Ｂとの間のネットワークであり、インターネット回線や携帯端末通信網等である。
【００１３】
図２に示すように、携帯情報端末１は、制御部１０と、記憶部２０と、カメラ部２３と、タッチパネルディスプレイ２６と、Ｂｌｕｅｔｏｏｔｈアンテナ２７と、ＧＰＳ（Ｇｌｏｂａｌ  Ｐｏｓｉｔｉｏｎｉｎｇ  Ｓｙｓｔｅｍ）アンテナ２８と、通信Ｉ／Ｆ（インタフェース）部２９とを備える。
制御部１０は、携帯情報端末１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
制御部１０は、電波受信部１１（電波受信手段）と、位置情報取得部１２（位置情報取得手段）と、情報送信部１３（情報送信手段）と、入力画面出力部１４（入力画面出力手段）と、入力情報送信部１５（入力情報送信手段）とを備える。
【００１４】
電波受信部１１は、ビーコン端末８が発信する電波を、Ｂｌｕｅｔｏｏｔｈアンテナ２７を介して受信する。
位置情報取得部１２は、電波受信部１１がビーコン電波を受信した際の携帯情報端末１の位置情報を、ＧＰＳアンテナ２８を介して取得する。この位置情報は、ＧＰＳ機能により測位演算して得られた緯度経度データである。
情報送信部１３は、電波検知情報（後述する）を、管理サーバ４に対して送信する。
入力画面出力部１４は、情報入力画面を出力する。情報入力画面は、ビーコン電波を受信した位置に関する情報を、ユーザが入力するための画面である。
入力情報送信部１５は、情報入力画面により入力された情報を、管理サーバ４に対して送信する。
【００１５】
記憶部２０は、制御部１０が各種の処理を実行するために必要なプログラム、データ等を記憶するための半導体メモリ素子等の記憶領域である。
記憶部２０は、探索プログラム２０ａを備える。
探索プログラム２０ａは、携帯情報端末１の制御部１０が実行する各種機能を実行するためのプログラムである。探索プログラム２０ａは、例えば、インターネット上のＷｅｂサイトからダウンロードして、予め携帯情報端末１にインストールされているものとする。
【００１６】
カメラ部２３は、撮影装置である。カメラ部２３は、静止画や動画の画像データを取得する。
タッチパネルディスプレイ２６は、液晶パネル等で構成される表示部としての機能と、ユーザからの指等によるタッチ入力を検出する入力部としての機能とを有する。
Ｂｌｕｅｔｏｏｔｈアンテナ２７は、ビーコン端末８との間でＢｌｕｅｔｏｏｔｈ規格に基づいて短距離無線通信が可能である。Ｂｌｕｅｔｏｏｔｈアンテナ２７は、受信したビーコン電波を電波受信部１１に送る。
ＧＰＳアンテナ２８は、ＧＰＳ衛星（図示せず）によって送信されるＧＰＳ信号を受信するアンテナである。ＧＰＳアンテナ２８は、受信したＧＰＳ信号を位置情報取得部１２に送る。
通信Ｉ／Ｆ部２９は、通信ネットワークＮを介して管理サーバ４との通信を行うためのインタフェース部である。
【００１７】
＜携帯情報端末３＞
携帯情報端末３は、携帯情報端末１と同様な装置である。本実施形態では、携帯情報端末３は、持ち運び可能な端末として記載するが、持ち運びを前提としないＰＣ（パーソナルコンピュータ）等であってもよい。
携帯情報端末３は、無線通信の基地局Ｂと通信ネットワークＮとを介して、管理サーバ４との間で通信可能となっている。
携帯情報端末３は、制御部３０と、記憶部３５と、タッチパネルディスプレイ３６と、通信Ｉ／Ｆ部３９とを備える。
【００１８】
制御部３０は、携帯情報端末３の全体を制御するＣＰＵである。制御部３０は、記憶部３５に記憶されているＯＳや、電子メールプログラム等のアプリケーションプログラムを適宜読み出して実行することにより、上述したハードウェアと協働し、各種機能を実行する。
記憶部３５は、制御部３０が各種の処理を実行するために必要なプログラム、データ等を記憶するための半導体メモリ素子等の記憶領域である。
記憶部３５は、例えば、登録用プログラム３５ａ（後述する）を記憶している。
タッチパネルディスプレイ３６は、液晶パネル等で構成される表示部としての機能と、ユーザからの指等によるタッチ入力を検出する入力部としての機能とを有する。
通信Ｉ／Ｆ部３９は、通信ネットワークＮを介して管理サーバ４との通信を行うためのインタフェース部である。
【００１９】
＜管理サーバ４＞
管理サーバ４は、携帯情報端末１から受信した電波検知情報に基づき、受信条件が探索開始条件に合致するか否かを判断する。そして、管理サーバ４は、受信条件が探索開始条件に合致する場合には、探索物に関する通知を行う。
図２に示すように、管理サーバ４は、制御部４０と、記憶部５０と、通信Ｉ／Ｆ部５９とを備える。
制御部４０は、管理サーバ４の全体を制御するＣＰＵである。制御部４０は、記憶部５０に記憶されているＯＳやアプリケーションプログラムを適宜読み出して実行することにより、上述したハードウェアと協働し、各種機能を実行する。
制御部４０は、情報受信部４１（情報受信手段）と、フラグ取得部４２（フラグ取得手段）と、条件判断部４３（条件判断手段）と、通知部４４（通知手段）と、特典付与部４５（特典付与手段）と、フラグ変更部４６（フラグ有効手段）とを備える。
【００２０】
情報受信部４１は、携帯情報端末１から送信された電波検知情報を受信する。電波検知情報は、ビーコン端末８を識別するビーコンＩＤ（ＩＤｅｎｔｉｆｉｅｒ）（装置識別情報）に関する情報と、携帯情報端末１を識別する端末ＩＤに関する情報と、ビーコン電波の電波強度に関する情報を含む。
フラグ取得部４２は、ビーコン管理テーブル５２（後述する）に基づき、情報受信部４１が取得した電波検知情報に含まれるビーコンＩＤに対応する探索フラグ（ＯＮ又はＯＦＦ）を取得する。探索開始条件を最初に設定した際（初期設定時）の探索フラグの初期状態は、ＯＦＦである。
条件判断部４３は、フラグ取得部４２が取得した探索フラグがＯＦＦの場合に、受信した電波検知情報が探索開始条件に合致するか否かを判断する。条件判断部４３は、後述する条件マスタテーブル５３の条件ＩＤが「１」の場合の探索開始条件の判断を行う。なお、フラグ取得部４２が取得した探索フラグがＯＮの場合には、条件判断部４３は、処理を行わない。
【００２１】
通知部４４は、条件判断部４３で探索開始条件に合致した場合に、電波検知情報の送信元の携帯情報端末１に対して、情報入力画面データを送信する。また、通知部４４は、条件判断部４３で探索開始条件に合致した場合に、携帯情報端末３に対して、探索物が見つかった旨を、電子メールで通知する。
特典付与部４５は、情報入力画面データに対する応答を携帯情報端末１から受信した場合に、特典を付与する。
フラグ変更部４６は、条件判断部４３で探索開始条件に合致した場合に、ビーコン管理テーブル５２の対象の探索フラグを、ＯＦＦからＯＮに変更する。
なお、詳細な説明は、後述する。
【００２２】
記憶部５０は、制御部４０が各種の処理を実行するために必要なプログラム、データ等を記憶するためのハードディスク、半導体メモリ素子等の記憶領域である。
記憶部５０は、条件内容テーブル５１（探索開始条件記憶部）と、ビーコン管理テーブル５２（探索開始条件記憶部）と、条件マスタテーブル５３とを備える。
条件内容テーブル５１は、ビーコンＩＤに対応する探索開始のための具体的な条件を記憶する。条件内容テーブル５１は、ビーコン端末８のビーコンＩＤと、条件ＩＤと、探索開始のための条件情報とを記憶する。
ビーコン管理テーブル５２は、探索システム１００で探索するビーコン端末８を管理するテーブルである。ビーコン管理テーブル５２は、ビーコンＩＤと、除外端末ＩＤと、条件ＩＤと、探索フラグと、依頼人連絡先とを記憶する。
条件マスタテーブル５３は、探索開始のための条件のカテゴリを記憶するテーブルである。条件マスタテーブル５３は、条件ＩＤと、条件の指定内容とを記憶する。
なお、各テーブルの詳細は、後述する。
通信Ｉ／Ｆ部５９は、通信ネットワークＮを介して、携帯情報端末１、携帯情報端末３との通信を行うためのインタフェース部である。
【００２３】
＜ビーコン端末８＞
ビーコン端末８は、本実施形態では、犬９に取り付ける端末である。
図２に示すように、ビーコン端末８は、制御部８０と、記憶部８５と、電波送出部８７とを備える。
制御部８０は、ビーコン端末８の全体を制御するＣＰＵである。制御部８０は、記憶部８５に記憶されているＯＳやアプリケーションプログラムを適宜読み出して実行することにより、上述したハードウェアと協働し、各種機能を実行する。
記憶部８５は、制御部８０が各種の処理を実行するために必要なプログラム、データ等を記憶するための半導体メモリ素子等の記憶領域である。
記憶部８５は、ビーコンＩＤを記憶している。
【００２４】
電波送出部８７は、ビーコンＩＤを含む電波を送出する。電波送出部８７は、制御部８０の制御によって、一定間隔（例えば、１０秒間隔）で、強弱を繰り返すようにして電波を送出する。電波強度が強の電波は、ＢｌｕｅｔｏｏｔｈのＣｌａｓｓ１に対応する電波であり、例えば、ビーコン端末８を中心とした半径５０ｍ以内に携帯情報端末１が存在していれば、携帯情報端末１で受信可能である。一方、電波強度が弱の電波は、ＢｌｕｅｔｏｏｔｈのＣｌａｓｓ２に対応する電波であり、例えば、ビーコン端末８を中心とした半径１０ｍ以内に携帯情報端末１が存在していれば、携帯情報端末１で受信可能である。
【００２５】
＜事前準備処理＞
次に、探索システム１００による処理の前提として、犬９の依頼人Ｘが管理サーバ４に対して行う事前準備処理について説明する。この事前準備処理は、依頼人Ｘが、携帯情報端末３を用いて行う。
依頼人Ｘは、携帯情報端末３を用いて、犬９に取り付けるビーコン端末８のビーコンＩＤと、探索開始条件と、依頼人連絡先とを登録する。これは、携帯情報端末３の記憶部３５に、例えば、登録用プログラム３５ａをインストール後に実行することで実現できる。ビーコン端末８には、外部から見える態様でビーコンＩＤが示されている。そして、依頼人Ｘは、条件登録画面（図示せず）からビーコンＩＤと、条件ＩＤとを入力する。ここでは、ビーコンＩＤを手入力するものとして説明しているが、携帯情報端末３がＢｌｕｅｔｏｏｔｈアンテナを備え、ビーコン電波を受信することで、ビーコンＩＤを入力してもよい。条件ＩＤは、図６の条件マスタテーブル５３の内容を表示して、依頼人Ｘに選択させることで入力させてもよい。次に、依頼人Ｘは、条件ＩＤに対応する探索開始条件と、依頼人連絡先とを入力する。探索開始条件とは、探索を開始して通知するための具体的な条件内容である。
【００２６】
制御部３０は、入力されたビーコンＩＤと、条件ＩＤと、探索開始条件と、依頼人連絡先とを受け付ける。そして、制御部３０は、これらの情報と、この携帯情報端末３の端末ＩＤとを含む探索条件情報を、管理サーバ４に対して送信する。例えば、条件ＩＤを「１」に設定して、探索開始条件を、探索対象時間帯（例えば、２２時から翌６時まで）と、探索対象外地域（ＡＣＢ地区）とする。また、依頼人連絡先を、依頼人Ｘの電子メールアドレスとする。
管理サーバ４の制御部４０は、携帯情報端末３から受信した探索条件情報を、条件内容テーブル５１と、ビーコン管理テーブル５２とに記憶させる（図６のビーコン管理テーブル５２及び図８の条件内容テーブル５１のビーコンＩＤ「Ｂ０１０１」を参照）。そして、管理サーバ４の制御部４０は、登録完了通知を送信することで、携帯情報端末３の制御部３０は、管理サーバ４から送信された登録完了通知を受信する。そうすることで、携帯情報端末３の依頼人Ｘは、犬９に関する探索開始条件が設定完了したことを知ることができる。
【００２７】
＜携帯情報端末１の処理＞
次に、携帯情報端末１の処理について説明する。
図３は、第１実施形態に係る携帯情報端末１での処理を示すフローチャートである。
図４は、第１実施形態に係る携帯情報端末１の表示例を示す図である。
本処理の前提として、携帯情報端末１には、事前に探索プログラム２０ａがインストールされている。また、探索プログラム２０ａは、携帯情報端末１において、フォアグラウンドではなく、バックグラウンドで実行中である。バックグラウンドで探索プログラム２０ａを実行することで、携帯情報端末１のユーザは、探索物の探索に関する操作をさせずに、携帯情報端末１を、ビーコン電波を常時受信可能な状態にできる。
なお、以下に説明する携帯情報端末１の処理は、探索プログラム２０ａの実行中には、常に繰り返し実行されるものである。
【００２８】
図３のステップＳ（以下、「Ｓ」という。）１０において、携帯情報端末１の制御部１０（電波受信部１１）は、ビーコン電波を受信したか否かを判断する。携帯情報端末１が、ビーコン電波の受信範囲内（例えば、５０ｍ以内）に存在する場合には、制御部１０（電波受信部１１）は、ビーコン電波を受信することができる。ビーコン電波を受信した場合（Ｓ１０：ＹＥＳ）には、制御部１０は、処理をＳ１１に移す。他方、ビーコン電波を受信していない場合（Ｓ１０：ＮＯ）には、制御部１０は、本処理を終了する。
【００２９】
Ｓ１１において、制御部１０（位置情報取得部１２）は、ビーコン電波を受信した位置の位置情報を、ＧＰＳアンテナ２８を介して取得する。
Ｓ１２において、制御部１０（情報送信部１３）は、電波検知情報を、管理サーバ４に送信する。電波検知情報は、Ｓ１０で受信したビーコン電波に含まれるビーコンＩＤを含む。また、電波検知情報は、Ｓ１０で受信したビーコン電波の強度情報（強又は弱）と、Ｓ１１で取得した位置情報を含む。さらに、電波検知情報は、この携帯情報端末１の端末ＩＤを含む。
なお、電波検知情報を受信した管理サーバ４での処理は、後述する。
【００３０】
Ｓ１３において、制御部１０は、所定時間内に管理サーバ４から情報入力画面データを受信したか否かを判断する。管理サーバ４では、探索開始条件を満たす場合には、情報入力画面データを携帯情報端末１に送信する。所定時間内に情報入力画面データを受信した場合（Ｓ１３：ＹＥＳ）には、制御部１０は、処理をＳ１４に移す。他方、所定時間内に情報入力画面データを受信していない場合（Ｓ１３：ＮＯ）には、制御部１０は、本処理を終了する。
Ｓ１４において、制御部１０（入力画面出力部１４）は、タッチパネルディスプレイ２６に情報入力画面６１を表示させる。
【００３１】
図４（Ａ）は、情報入力画面データを受信した際の表示例である。制御部１０は、タッチパネルディスプレイ２６に、ポップアップメッセージ６０を表示させる。これを見たユーザは、何かを発見したことを知ることができる。そして、ポップアップメッセージ６０の「ＯＫ」ボタンをユーザが選択することで、制御部１０は、ポップアップメッセージ６０を消去し、図４（Ｂ）に示す情報入力画面６１を出力させる。
情報入力画面６１は、ポップアップメッセージ６０が表示された位置に関する情報を、ユーザに入力させるための画面である。情報入力画面６１は、画像登録欄６１ａと、コメント欄６１ｂと、ボタン６１ｃとを備える。画像登録欄６１ａは、携帯情報端末１の位置周辺で撮影した写真等を登録するものである。コメント欄６１ｂは、位置に関するコメントを入力するものである。ユーザは、カメラ部２３を起動させて周辺の画像を撮影して、画像登録欄６１ａに登録することができる。また、ユーザは、コメント欄６１ｂを選択することで、文字入力を行うことができる。
【００３２】
図３に戻り、Ｓ１５において、制御部１０は、ユーザによる送信操作を受け付けたか否かを判断する。送信操作は、情報入力画面６１に設けられたボタン６１ｃの操作である。送信操作を受け付けた場合（Ｓ１５：ＹＥＳ）には、制御部１０は、処理をＳ１６に移す。他方、送信操作を受け付けていない場合（Ｓ１５：ＮＯ）には、制御部１０は、送信操作を受け付けるまで待機する。
なお、情報入力画面６１にやめるボタンを設けて、制御部１０は、やめるボタンを受け付けた場合には、情報を送信しないようにしてもよい。その場合には、制御部１０は、本処理を終了する。
Ｓ１６において、制御部１０（入力情報送信部１５）は、情報入力画面６１にて入力された入力情報を、管理サーバ４に送信する。
Ｓ１７において、制御部１０は、管理サーバ４からクーポンＩＤを受信し、タッチパネルディスプレイ２６に受信したクーポンＩＤの情報を表示する。クーポンＩＤの情報は、例えば、ユーザが購買時に使用できる割引に関するものである。その後、制御部１０は、本処理を終了する。
【００３３】
このように、携帯情報端末１は、バックグラウンドでビーコン電波を受信して、管理サーバ４に電波検知情報を随時送信できる。よって、携帯情報端末１のユーザは、意識することなく、探索物の探索協力者になり得る。また、探索物が探索開始条件に合致して探索する状態である場合には、詳細な情報を情報提供することで特典を得ることができるので、インセンティブを付与でき、情報入力を積極的に行う契機になり得る。
【００３４】
＜管理サーバ４の処理＞
次に、管理サーバ４の処理について説明する。
図５は、第１実施形態に係る管理サーバ４での探索処理を示すフローチャートである。
図６は、第１実施形態に係る管理サーバ４の記憶部５０に記憶された各テーブルの例を示す図である。
図７は、第１実施形態に係る管理サーバ４での探索条件判断処理を示すフローチャートである。
図８は、第１実施形態に係る管理サーバ４の記憶部５０に記憶された条件内容テーブル５１の例を示す図である。
【００３５】
なお、以下に説明する管理サーバ４の探索処理は、電波検知情報を受信するたびに実行されるものである。
図５のＳ４０において、管理サーバ４の制御部４０（情報受信部４１）は、携帯情報端末１から送信された電波検知情報を受信する。これは、図３のＳ１２において、携帯情報端末１が電波検知情報を送信した場合である。
Ｓ４１において、制御部４０は、ビーコン管理テーブル５２を参照して、電波検知情報に含まれるビーコンＩＤが対象のものであるか否かを判断する。
ここで、ビーコン管理テーブル５２について説明する。図６に示すように、ビーコン管理テーブル５２は、対象とするビーコンＩＤと、条件ＩＤと、除外端末ＩＤと、探索フラグと、依頼人連絡先とを記憶する。条件ＩＤは、条件マスタテーブル５３に対応するものであり、探索開始条件のカテゴリを判別するためのものである。除外端末ＩＤは、探索開始条件としない端末ＩＤを記憶するものである。探索フラグは、探索開始中か否かを表すものであり、ＯＦＦは「０」で、ＯＮは「１」で示している。上述した事前準備処理をした際には、探索フラグは「０」である。依頼人連絡先は、上述した事前準備処理で依頼人Ｘが入力した電子メールアドレス等である。
【００３６】
図５に戻り、ビーコン管理テーブル５２に該当のビーコンＩＤがある場合には、対象のものである。ビーコンＩＤが対象のものである場合（Ｓ４１：ＹＥＳ）には、制御部４０は、処理をＳ４２に移す。他方、ビーコンＩＤが対象のものではない場合（Ｓ４１：ＮＯ）には、制御部４０は、本処理を終了する。
Ｓ４２において、制御部４０は、ビーコン管理テーブル５２を参照して、電波検知情報に含まれるビーコンＩＤに対応する除外端末ＩＤを取得する。そして、制御部４０は、電波検知情報に含まれる端末ＩＤが取得した除外端末ＩＤであるか否かを判断する。これは、例えば、依頼人Ｘが携帯情報端末３とは別に携帯情報端末１を所持していたり、携帯情報端末３に携帯情報端末１の機能を有していたりする場合に、その端末の端末ＩＤを予め除外端末ＩＤとして登録しておくことで、その端末を除くための処理である。端末ＩＤが対象のものである場合（Ｓ４２：ＹＥＳ）には、制御部４０は、本処理を終了する。他方、端末ＩＤが対象のものではない場合（Ｓ４２：ＮＯ）には、制御部４０は、処理をＳ４３に移す。
【００３７】
Ｓ４３において、制御部４０は、受信した電波通知情報に含まれる電波強度が弱であるか否かを判断する。これは、探索物の発見に関する位置の精度を向上させるため、電波強度が弱のもののみを探索開始条件の判断対象とするためである。電波強度が弱である場合（Ｓ４３：ＹＥＳ）には、制御部４０は、処理をＳ４４に移す。他方、電波強度が弱ではない場合（Ｓ４３：ＮＯ）には、制御部４０は、本処理を終了する。
Ｓ４４において、制御部４０は、受信した電波検知情報を、電波検知情報を受信した日時に対応付けて、検知ログとして記憶部５０に記憶させる。
【００３８】
Ｓ４５において、制御部４０（条件判断部４３）は、電波確実性の条件を満たすか否かを判断する。
電波確実性の条件を満たすか否かの処理は、以下の条件を満たすか否かを判断する。
条件は、「同じビーコンＩＤ及び同じ端末ＩＤであって、電波強度が弱である電波検知情報を、現時点からさかのぼって所定時間までの間（例えば、現時点から過去３分間）に複数回（例えば、５回以上）受信しているか。」というものである。
この処理は、携帯情報端末１がビーコン端末８から電波強度が弱であるビーコン電波を１回だけでなく複数回受信することで、探索物の発見に関する確実性を向上させるためのものである。この処理は、記憶部５０に記憶された検知ログを使用して行うことができる。
電波確実性の条件を満たしている場合（Ｓ４５：ＹＥＳ）には、制御部４０は、処理をＳ４６に移す。他方、電波確実性の条件を満たしていない場合（Ｓ４５：ＮＯ）には、制御部４０は、本処理を終了する。
【００３９】
Ｓ４６において、制御部４０（フラグ取得部４２）は、条件内容テーブル５１を参照して、電波検知情報に含まれるビーコンＩＤに対応する探索フラグを取得する。
Ｓ４７において、制御部４０（条件判断部４３）は、Ｓ４６で取得した探索フラグがＯＦＦであるか否かを判断する。探索フラグがＯＦＦである場合（Ｓ４７：ＹＥＳ）には、制御部４０は、処理をＳ４８に移す。他方、探索フラグがＯＮである場合（Ｓ４７：ＮＯ）には、制御部４０は、処理をＳ５２に移す。
Ｓ４８において、制御部４０（条件判断部４３）は、探索条件判断処理を行う。
【００４０】
ここで、探索条件判断処理について、図７に基づき説明する。
Ｓ６０において、制御部４０は、条件内容テーブル５１を参照して、該当のビーコンＩＤに対応する条件内容を参照する。そして、制御部４０は、電波検知情報の受信日時が条件内容の時間帯の範囲内であるか否かを判断する。電波検知情報の受信日時が条件内容の時間帯の範囲内である場合（Ｓ６０：ＹＥＳ）には、制御部４０は、処理をＳ６１に移す。他方、電波検知情報の受信日時が条件内容の時間帯の範囲内ではない場合（Ｓ６０：ＮＯ）には、制御部４０は、処理をＳ６２ａに移す。
Ｓ６１において、制御部４０は、電波検知情報の位置情報が条件内容の地区内であるか否かを判断する。電波検知情報の位置情報が条件内容の地区内である場合（Ｓ６１：ＹＥＳ）には、制御部４０は、処理をＳ６２に移す。他方、電波検知情報の位置情報が条件内容の地区内ではない場合（Ｓ６１：ＮＯ）には、制御部４０は、処理をＳ６２ａに移す。
Ｓ６２において、制御部４０は、条件内容テーブル５１の条件を満たすと判断する。その後、制御部４０は、本処理を終了して、図５に戻る。
他方、Ｓ６２ａにおいて、制御部４０は、条件内容テーブル５１の条件を満たさないと判断する。その後、制御部４０は、本処理を終了して、図５に戻る。
【００４１】
ビーコンＩＤが「Ｂ０１０１」の例（図８参照）では、２０時以降翌朝６時までの時間帯（夜間）であって（Ｓ６０：ＹＥＳ）、ＡＣＢ地区（例えば、居住圏）外で、犬９に取り付けられたビーコン端末８からの電波を受信した場合（Ｓ６１：ＹＥＳ）には、探索開始条件に合致している。他方、犬９に取り付けられたビーコン端末８からの電波を受信しても、昼間等であれば（Ｓ６０：ＮＯ）、探索開始条件に合致しない。
【００４２】
図５に戻り、Ｓ４９において、制御部４０（条件判断部４３）は、探索条件判断処理の結果、条件を満たしているか否かを判断する。条件を満たしている場合（Ｓ４９：ＹＥＳ）には、制御部４０は、処理をＳ５０に移す。他方、条件を満たしていない場合（Ｓ４９：ＮＯ）には、制御部４０は、本処理を終了する。
Ｓ５０において、制御部４０（フラグ変更部４６）は、ビーコン管理テーブル５２の該当のビーコンＩＤに対応する探索フラグを、ＯＦＦからＯＮに変更する。
Ｓ５１において、制御部４０（通知部４４）は、依頼人Ｘの携帯情報端末３に対して、通知処理を行う。具体的には、制御部４０は、ビーコン管理テーブル５２を参照して、依頼人連絡先に登録した電子メールアドレス宛に、犬９が発見された旨の電子メールを送信する。なお、後述する情報提供ページのＵＲＩ（Ｕｎｉｆｏｒｍ  Ｒｅｓｏｕｒｃｅ  Ｉｄｅｎｔｉｆｉｅｒ）を電子メールの本文に記載しておいてもよい。
Ｓ５２において、制御部４０は、次に説明する情報提供によるクーポン付与処理を行う。その後、制御部４０は、本処理を終了する。
【００４３】
なお、探索フラグのＯＮからＯＦＦへの変更は、適宜行ってよい。例えば、制御部４０は、探索フラグをＯＮからＯＦＦへの変更を、所定時間後に行ってもよいし、情報提供によるクーポン付与を行った数が所定数になったことによって行ってもよい。また、依頼人Ｘによる携帯情報端末３からの操作によって行ってもよい。
【００４４】
ここで、情報提供によるクーポン付与処理を説明する。
図９は、第１実施形態に係る管理サーバ４での情報提供によるクーポン付与処理を示すフローチャートである。
Ｓ７０において、制御部４０（通知部４４）は、電波検知情報を送信した携帯情報端末１に対して情報入力画面データ（図４参照）を送信する。
Ｓ７１において、制御部４０は、入力情報を受信したか否かを判断する。制御部４０は、図３のＳ１６において、携帯情報端末１が入力情報を送信した場合には、入力情報を受信できる。入力情報を受信した場合（Ｓ７１：ＹＥＳ）には、制御部４０は、処理をＳ７２に移す。他方、入力情報を受信していない場合（Ｓ７１：ＮＯ）には、制御部４０は、本処理を終了する。つまり、この探索システム１００では、入力情報を受信した場合にのみクーポンを付与する。
Ｓ７２において、制御部４０は、受信した入力情報を、通報ログとして記憶部５０に記憶させる。
【００４５】
Ｓ７３において、制御部４０は、記憶された通報ログを依頼人Ｘが参照できるように、情報提供ページを作成する。
これにより、依頼人Ｘは、例えば、携帯情報端末３を用いて、管理サーバ４にアクセスし、携帯情報端末１が入力して送信した各種の情報（写真や位置に関するコメント等）を参照できる。依頼人Ｘは、予めビーコン端末８を取り付けておいた探索物が発見された場所についての情報を得ることができる。
Ｓ７４において、制御部４０（特典付与部４５）は、電波検知情報を送信した携帯情報端末１に対して、予め記憶部５０（特典記憶部）に記憶されているクーポンＩＤを送信する。その後、制御部４０は、本処理を終了して、図５に戻る。
【００４６】
このように、第１実施形態の探索システム１００によれば、以下のような効果がある。
（１）管理サーバ４は、犬９に取り付けたビーコン端末８からの電波を受信したときの受信条件が、探索物の発見を通知するための探索開始条件に合致する場合に、携帯情報端末３に通知をする。よって、受信条件が探索開始条件に合致しない場合には、通知しないので、煩わしさがない。また、管理サーバ４は、１回通知をした後は、探索開始条件の判断や携帯情報端末３に対する通知等を行わないので、無駄な処理を行わないようにできる。
【００４７】
（２）管理サーバ４は、条件内容テーブル５１及びビーコン管理テーブル５２に探索開始条件を予め記憶しておくことで、探索開始条件に合致する場合に、携帯情報端末３に自動的に通知できる。
（３）管理サーバ４は、条件内容テーブル５１と、ビーコン管理テーブル５２と、条件マスタテーブル５３とを備えているので、様々な探索開始条件を登録できる。よって、依頼人Ｘは、探索物の行動等の特徴に合った条件を選んで設定することで、様々な種類の探索物に使用できる。
【００４８】
（４）管理サーバ４は、電波検知情報の受信時刻が探索対象時間帯に含まれれば、探索開始条件に合致したとして通知をする。よって、予め設定した時刻になった場合に探索開始できる。
（５）また、管理サーバ４は、ビーコン端末８を取り付けた犬９が、探索開始位置に移動した場合に、移動後の位置でビーコン電波を受信した携帯情報端末１の位置によって、探索開始条件に合致したとして通知ができる。
【００４９】
（６）管理サーバ４は、情報提供をした携帯情報端末１のユーザにクーポンという特典を付与するので、探索のための一連の動作を携帯情報端末１に行わせるための探索プログラム２０ａを、携帯情報端末１にインストールすることを促進できる。また、携帯情報端末１のユーザに、情報を積極的に入力させるように促すことができる。
【００５０】
（７）管理サーバ４は、電波強度が弱で、一定数以上のビーコン電波を受信した場合に探索開始条件の判断を行うので、確実性を向上できる。結果として、犬９の位置を特定しうる。
（８）電波受信としての役割を携帯情報端末１が担い、管理サーバ４では、記憶部５０の探索開始条件を一元的に管理して、携帯情報端末１から受信した電波検知情報に基づいて集中処理できる。よって、携帯情報端末１と、管理サーバ４とにより処理が分散できるので、各装置の負荷を軽減できる。
【００５１】
（第２実施形態）
第２実施形態では、依頼人の携帯情報端末が、見張り対象物（探索物）からのビーコン電波を常に受信してサーバに送信するものであり、携帯情報端末を所持する依頼人から見張り対象物が離れた場合に、探索を開始するものを説明する。なお、以降の説明において、上述した第１実施形態と同様の機能を果たす部分には、同一の符号又は末尾に同一の符号を付して、重複する説明を適宜省略する。
【００５２】
＜探索システム２００＞
図１０は、第２実施形態に係る探索システム２００の全体構成図及び携帯情報端末２０３と管理サーバ２０４との機能ブロック図である。
探索システム２００は、依頼人のペットである犬９（見張り対象物）が依頼人の傍から離れた場合に、探索を開始するものである。
探索システム２００は、携帯情報端末１と、携帯情報端末２０３と、管理サーバ２０４と、ビーコン端末８とを備える。
【００５３】
＜携帯情報端末２０３＞
携帯情報端末２０３は、依頼人が所持する携帯情報端末である。
携帯情報端末２０３は、制御部２３０と、記憶部２３５と、タッチパネルディスプレイ３６と、通信Ｉ／Ｆ部３９の他、Ｂｌｕｅｔｏｏｔｈアンテナ２３７を備える。
制御部２３０は、携帯情報端末２０３の全体を制御するＣＰＵである。制御部２３０は、記憶部２３５に記憶されているＯＳや、電子メールプログラム等のアプリケーションプログラムを適宜読み出して実行することにより、上述したハードウェアと協働し、各種機能を実行する。
記憶部２３５は、制御部２３０が各種の処理を実行するために必要なプログラム、データ等を記憶するための半導体メモリ素子等の記憶領域である。記憶部２３５は、見張りプログラム２３５ａを記憶している。
【００５４】
見張りプログラム２３５ａは、携帯情報端末２０３の制御部２３０が実行する各種機能を実行するためのプログラムである。見張りプログラム２３５ａは、インターネット上のＷｅｂサイト等からダウンロードして、携帯情報端末２０３にインストールされているものとする。
Ｂｌｕｅｔｏｏｔｈアンテナ２３７は、携帯情報端末１のＢｌｕｅｔｏｏｔｈアンテナ２７と同様である。
＜管理サーバ２０４＞
管理サーバ２０４は、制御部２４０と、記憶部５０と、通信Ｉ／Ｆ部５９とを備える。
制御部２４０が備える条件判断部２４３は、条件マスタテーブル５３（図６参照）の条件ＩＤが「２」の場合の探索開始条件の判断を行う。
【００５５】
＜事前準備処理＞
次に、探索システム２００による処理の前提として、犬９の依頼人が管理サーバ２０４に対して行う事前準備処理について説明する。この事前準備処理は、依頼人が、携帯情報端末２０３を用いて行う。
依頼人は、携帯情報端末２０３に見張りプログラム２３５ａをインストールして実行する。携帯情報端末２０３の制御部２３０は、ビーコン端末８が送出する電波を受信する。この電波には、ビーコンＩＤを含む。そして、依頼人は、条件登録画面（図示せず）から依頼人連絡先を入力する。制御部２３０は、受信したビーコンＩＤと、見張りプログラム２３５ａに予め設定されている条件ＩＤと、依頼人連絡先との情報と、この携帯情報端末３の端末ＩＤと、条件ＩＤとを含む探索条件情報を、管理サーバ２０４に対して送信する。
また、携帯情報端末２０３の制御部２３０は、受信したビーコン電波に含まれたビーコンＩＤを記憶部２３５に記憶させる。
【００５６】
管理サーバ２０４の制御部２４０は、携帯情報端末２０３から受信した探索条件情報に基づき、ビーコン管理テーブル５２と、条件内容テーブル５１とを更新する。例えば、条件ＩＤを「２」に設定して、探索開始条件を、継続受信対象端末ＩＤ（例えば、ＴＡ０３０１）とする。また、依頼人連絡先を、依頼人の電子メールアドレスとする。そして、管理サーバ２０４は、携帯情報端末２０３に対して登録完了通知を送信する。
携帯情報端末２０３の制御部２３０は、管理サーバ２０４から送信された登録完了通知を受信するので、携帯情報端末２０３の依頼人は、犬９に関する更なる探索開始条件が設定完了したことを知ることができる。
【００５７】
＜携帯情報端末２０３の処理＞
次に、携帯情報端末２０３の処理について説明する。
図１１は、第２実施形態に係る携帯情報端末２０３での処理を示すフローチャートである。
本処理の前提として、携帯情報端末２０３では、見張りプログラム２３５ａを、携帯情報端末２０３のバックグラウンドで実行中である。バックグラウンドで見張りプログラム２３５ａを実行することで、携帯情報端末２０３の依頼人に特段の意識をさせずに、携帯情報端末２０３を、ビーコン電波を常時受信可能な状態にできる。
なお、以下に説明する携帯情報端末２０３の処理は、見張りプログラム２３５ａの実行中には、常に繰り返し実行されるものである。
【００５８】
Ｓ２０１において、携帯情報端末２０３の制御部２３０は、ビーコン電波を受信したか否かを判断する。携帯情報端末２０３が、ビーコン電波の受信範囲内（例えば、５０ｍ以内）に存在していれば、制御部２３０は、ビーコン電波を受信することができる。ビーコン電波を受信した場合（Ｓ２０１：ＹＥＳ）には、制御部２３０は、処理をＳ２０２に移す。他方、ビーコン電波を受信していない場合（Ｓ２０１：ＮＯ）には、制御部２３０は、本処理を終了する。
Ｓ２０２において、制御部２３０は、ビーコン電波に含むビーコンＩＤが対象のものであるか否かを判断する。ビーコンＩＤが事前準備処理において記憶部２３５に記憶されたものと同一であれば、対象のものである。ビーコンＩＤが対象のものである場合（Ｓ２０２：ＹＥＳ）には、制御部２３０は、処理をＳ２０３に移す。他方、ビーコンＩＤが対象のものではない場合（Ｓ２０２：ＮＯ）には、制御部２３０は、本処理を終了する。
Ｓ２０３において、制御部２３０は、電波検知情報を、管理サーバ２０４に送信する。電波検知情報は、ビーコンＩＤと、ビーコン電波の強度情報（強又は弱）と、この携帯情報端末２０３の端末ＩＤとを含む。その後、制御部２３０は、本処理を終了する。
【００５９】
＜携帯情報端末１の処理＞
携帯情報端末１の処理は、図３（第１実施形態）と同様である。
【００６０】
＜管理サーバ２０４の処理＞
次に、管理サーバ２０４の処理について説明する。
最初に、探索処理について説明する。
これは、携帯情報端末１から電波検知情報を受信した場合の管理サーバ２０４での処理である。
図１２は、第２実施形態に係る管理サーバ２０４での探索処理を示すフローチャートである。
なお、以下に説明する管理サーバ２０４の探索処理は、電波検知情報を受信するたびに実行されるものである。
【００６１】
Ｓ２４０からＳ２４４までは、図５（第１実施形態）のＳ４０からＳ４２まで、Ｓ４４及びＳ４６と同様である。Ｓ２４１において、依頼人の携帯情報端末２０３の端末ＩＤは、除外端末ＩＤとして登録してある。
Ｓ２４５において、制御部２４０（条件判断部２４３）は、Ｓ２４４で取得した探索フラグがＯＦＦであるか否かを判断する。探索フラグがＯＦＦである場合（Ｓ２４５：ＹＥＳ）には、制御部２４０は、本処理を終了する。他方、探索フラグがＯＮである場合（Ｓ２４５：ＮＯ）には、制御部２４０は、処理をＳ２４６に移す。
Ｓ２４６及びＳ２４７は、図５（第１実施形態）のＳ５１及びＳ５２と同様である。
なお、この例では、電波強度の強弱に関する処理を行っていないが、第１実施形態と同様に、電波確実性の高い場合にのみ通知処理を行うようにしてもよい。
また、通知処理を、探索フラグがＯＮになった直後の初回のみ行うようにしてもよい。
【００６２】
次に、探索条件判断処理について説明する。
これは、携帯情報端末２０３から電波検知情報を受信した場合の管理サーバ２０４での処理である。
なお、管理サーバ２０４は、この探索条件判断処理と、上述した探索処理とを、同時に処理を行うことができる。
図１３は、第２実施形態に係る管理サーバ２０４での探索条件判断処理を示すフローチャートである。
【００６３】
Ｓ２６０において、管理サーバ２０４の制御部２４０は、ビーコン管理テーブル５２と、条件内容テーブル５１とを参照して、条件ＩＤが「２」のビーコンＩＤと、それに対応付けられた電波受信対象の端末ＩＤとを抽出して取得する。
Ｓ２６１において、制御部２４０は、電波検知情報を受信したか否かを判断する。電波検知情報を受信した場合（Ｓ２６１：ＹＥＳ）には、制御部２３０は、処理をＳ２６２に移す。他方、電波検知情報を受信していない場合（Ｓ２６１：ＮＯ）には、制御部２３０は、処理をＳ２６３に移す。
Ｓ２６２において、制御部２４０は、受信した電波検知情報に、Ｓ２６０で取得したビーコンＩＤと、端末ＩＤとが含まれているか否かを判断する。この電波検知情報を受信できるのは、図１１のＳ２０３において、携帯情報端末２０３が電波検知情報を送信した場合である。受信した電波検知情報に、取得したビーコンＩＤと、端末ＩＤとが含まれている場合（Ｓ２６２：ＹＥＳ）には、制御部２４０は、処理をＳ２６１に移す。他方、受信した電波検知情報に、取得したビーコンＩＤと、端末ＩＤとが含まれていない場合（Ｓ２６２：ＮＯ）には、制御部２４０は、処理をＳ２６３に移す。
【００６４】
Ｓ２６３において、制御部２４０は、携帯情報端末２０３から見張り対象物からの電波検知情報を最後に受信してから一定時間（例えば、５分）が経過したか否かを判断する。電波検知情報を一定時間受信しないということは、継続して電波検知情報を受信できない状況になっている場合である。一定時間を経過した場合（Ｓ２６３：ＹＥＳ）には、制御部２４０は、処理をＳ２６４に移す。他方、一定時間が経過していない場合（Ｓ２６３：ＮＯ）には、制御部２４０は、処理をＳ２６１に移す。
【００６５】
Ｓ２６４において、制御部２４０（フラグ取得部４２）は、ビーコン管理テーブル５２を参照して、対象のビーコンＩＤに対応する探索フラグを取得する。
Ｓ２６５において、制御部２４０（条件判断部２４３）は、Ｓ２６４で取得した探索フラグがＯＦＦであるか否かを判断する。探索フラグがＯＦＦである場合（Ｓ２６５：ＹＥＳ）には、制御部２４０は、処理をＳ２６６に移す。他方、探索フラグがＯＮである場合（Ｓ２６５：ＮＯ）には、制御部２４０は、本処理を終了する。
Ｓ２６６において、制御部２４０（フラグ変更部４６）は、ビーコン管理テーブル５２の該当のビーコンＩＤに対応する探索フラグをＯＦＦからＯＮに変更する。その後、制御部２４０は、本処理を終了する。
なお、探索フラグのＯＮからＯＦＦへの変更は、適宜行ってよい。例えば、管理サーバ２０４が携帯情報端末２０３から電波検知情報を再度受信したときとしてもよい。また、依頼人による携帯情報端末２０３からの操作によって行ってもよい。
【００６６】
このように、第２実施形態によれば、以下のような効果がある。
ビーコン端末８を取り付けた犬９と携帯情報端末２０３とが離れた場合に、携帯情報端末２０３は、ビーコン端末８が発信する電波を受信できなくなる。そこで、管理サーバ２０４は、ビーコン端末８が発信する電波を携帯情報端末２０３が受信できなくなったことを、探索開始条件に合致したとして、携帯情報端末２０３に通知ができる。よって、携帯情報端末２０３では、予めビーコン端末８を見張りプログラム２３５ａによって登録すればよく、他の携帯情報端末１が犬９を探索してくれる。
【００６７】
（第３実施形態）
第３実施形態では、通常は設置場所に固定されて移動しないもの（探索物）が移動した場合に、通知をするものを説明する。
＜探索システム３００＞
図１４は、第３実施形態に係る探索システム３００の全体構成図及び管理サーバ３０４と、ビーコン端末３０８との機能ブロック図である。
探索システム３００は、携帯情報端末１と、携帯情報端末３と、管理サーバ３０４と、ビーコン端末３０８とを備える。
＜管理サーバ３０４＞
管理サーバ３０４は、制御部３４０と、記憶部５０と、通信Ｉ／Ｆ部５９とを備える。
制御部３４０が備える条件判断部３４３は、条件マスタテーブル５３（図６参照）の条件ＩＤが「３」の場合の探索開始条件の判断を行う。
【００６８】
＜ビーコン端末３０８＞
ビーコン端末３０８は、通常移動させないものに取り付ける端末である。このようなものとは、例えば、金庫３０９等である。
ビーコン端末３０８は、制御部３８０と、記憶部８５と、加速度センサ３８２と、電波送出部３８７とを備える。
制御部３８０は、ビーコン端末３０８の全体を制御するＣＰＵである。制御部３８０は、記憶部８５に記憶されているＯＳやアプリケーションプログラムを適宜読み出して実行することにより、上述したハードウェアと協働し、各種機能を実行する。
加速度センサ３８２は、例えば、取り付け対象である金庫３０９の移動を検出する。加速度センサ３８２は、移動を検出した場合に、加速度情報を制御部３８０に出力する機能を備える。
電波送出部３８７は、ビーコンＩＤを含む電波を送出する。また、電波送出部３８７は、加速度情報を受け付けた場合には、ビーコンＩＤと、加速度情報とを含む電波を送出する。なお、電波送出部３８７が強弱のある電波を所定の時間間隔で送出する点は、第１実施形態と同様である。
【００６９】
＜事前準備処理＞
次に、探索システム３００による処理の前提として、金庫３０９を監視したい依頼人が管理サーバ３０４に対して行う事前準備処理について説明する。この事前準備処理は、例えば、依頼人が、携帯情報端末３を用いて行う。
事前準備処理は、条件ＩＤを「３」に設定する以外は、第１実施形態と同様である。条件ＩＤを「３」に設定する場合には、条件内容の設定は不要である。携帯情報端末３は、ビーコンＩＤと、条件ＩＤと、依頼人連絡先と、この携帯情報端末３の端末ＩＤとを含む探索条件情報を、管理サーバ３０４に対して送信する。
管理サーバ３０４の制御部３４０は、携帯情報端末３から受信した探索条件情報を、条件内容テーブル５１と、ビーコン管理テーブル５２とに記憶させる。例えば、条件ＩＤを「３」に設定して、探索開始条件を、「加速度情報＞０」とする。また、依頼人連絡先を、依頼人の電子メールアドレスとする。そして、管理サーバ３０４は、携帯情報端末３に対して登録完了通知を送信する。携帯情報端末３は、管理サーバ３０４から送信された登録完了通知を受信する。そうすることで、携帯情報端末３の依頼人は、金庫３０９に関する探索開始条件が設定完了したことを知ることができる。
【００７０】
＜携帯情報端末１の処理＞
次に、携帯情報端末１の処理について説明する。
携帯情報端末１の処理は、図３（第１実施形態）と同様である。なお、電波検知情報は、さらに受信したビーコン電波に加速度情報を含む場合には、電波検知情報にも加速度情報を含む。
【００７１】
＜管理サーバ３０４の処理＞
次に、管理サーバ３０４の処理について説明する。
図１５は、第３実施形態に係る管理サーバ３０４での探索処理を示すフローチャートである。
なお、以下に説明する管理サーバ３０４の探索処理は、電波検知情報を受信するたびに実行されるものである。
Ｓ３４０、Ｓ３４１の処理は、図５（第１実施形態）のＳ４０、Ｓ４１と同様である。
Ｓ３４２からＳ３４４までの処理は、図５（第１実施形態）のＳ４４、Ｓ４６、Ｓ４７と同様である。Ｓ３４４において探索フラグがＯＮである場合（Ｓ３４４：ＮＯ）には、制御部３４０は、処理をＳ３４８に移す。
【００７２】
Ｓ３４５において、制御部３４０（条件判断部３４３）は、ビーコン管理テーブル５２と、条件内容テーブル５１とを参照して、該当のビーコンＩＤに対応する条件内容を参照する。そして、制御部３４０（条件判断部３４３）は、受信した電波検知情報に加速度情報を含むか否かを判断する。加速度情報を含む場合（Ｓ３４５：ＹＥＳ）には、制御部３４０は、処理をＳ３４６に移す。他方、加速度情報を含まない場合（Ｓ３４５：ＮＯ）には、制御部３４０は、本処理を終了する。
この例（金庫３０９）では、受信した電波検知情報の電波強度や受信数等は関係なく、電波検知情報に加速度情報が含まれる場合には、どのような電波強度であっても、また、１回受信した場合であっても、探索開始条件に合致すると判断する。電波検知情報に加速度情報が含まれない場合には、探索開始条件に合致していないものと判断し、制御部３４０は、その後の処理を行わない。
Ｓ３４６からＳ３４８までは、図５のＳ５０からＳ５２までと同様である。
なお、金庫３０９を例に説明したが、それ以外でも家具等のように、通常移動させないものであれば、適用できる。
【００７３】
このように、第３実施形態によれば、以下のような効果がある。
ビーコン端末３０８は、加速度センサ３８２を備える。よって、管理サーバ３０４は、金庫３０９に設けられたビーコン端末３０８からの電波に加速度情報を含む場合には、探索開始条件に合致するので、金庫３０９が移動したことを依頼人に通知できる。
【００７４】
（第４実施形態）
第４実施形態では、スタンプラリーに適用するものを説明する。
＜探索システム４００＞
図１６は、第４実施形態に係る探索システム４００の全体概要図である。
図１７は、第４実施形態に係る管理サーバ４０４のブロック図及び記憶部４５０に記憶されたデジタルスタンプテーブル４５４の例を示す図である。
図１６に示す探索システム４００は、携帯情報端末４０１と、携帯情報端末４０３と、管理サーバ４０４と、ビーコン端末４０８Ａ〜４０８Ｅとを備えている。
【００７５】
探索システム４００では、スタンプラリーの主催者Ｙは、スタンプラリー会場内に設けたスタンプラリー参加者が探索するものに、ビーコン端末４０８を取り付けておく。この例の場合、スタンプラリーとして取得するスタンプは５つであり、各スタンプに対応するビーコン端末４０８Ａ〜４０８Ｅは、ポスター４０９Ａ〜４０９Ｅ（探索物）に取り付けられている。スタンプラリー参加者であるユーザＣの携帯情報端末４０１Ｃ（以下、ユーザＣの携帯情報端末４０１を、携帯情報端末４０１Ｃとする。）は、例えば、ポスター４０９Ａに取り付けられたビーコン端末４０８Ａが発信する電波を受信して、管理サーバ４０４に電波検知情報を送信する。そして、管理サーバ４０４は、携帯情報端末４０１Ｃから受信した電波検知情報の受信条件によって、対象のものであるか否かを判断し、対象のものである場合には、その携帯情報端末４０１Ｃに対して、デジタルスタンプデータを送信（通知）する。これにより、ユーザＣは、スタンプラリー会場内のポスター４０９を探索して、様々なデジタルスタンプデータを収集できる。
【００７６】
＜管理サーバ４０４＞
図１７（Ａ）に示すように、管理サーバ４０４は、制御部４４０と、記憶部４５０と、通信Ｉ／Ｆ部５９とを備える。
制御部４４０が備える条件判断部４４３は、条件マスタテーブル５３（図６参照）の条件ＩＤが「４」の場合の探索開始条件の判断を行う。
制御部４４０が備える通知部４４４は、デジタルスタンプデータを携帯情報端末４０１に送信する。
記憶部４５０が備えるデジタルスタンプテーブル４５４は、図１７（Ｂ）に示すように、ビーコンＩＤと、デジタルスタンプデータとを対応付けて記憶する。
ビーコン端末４０８（４０８Ａ〜４０８Ｅ）は、本実施形態では、電波強度が弱の電波（上述したＢｌｕｅｔｏｏｔｈのＣｌａｓｓ２に対応するビーコン電波）のみを発信するものとする以外は、第１実施形態と同様である。
【００７７】
＜事前準備処理＞
次に、探索システム４００による処理の前提として、主催者Ｙが管理サーバ４０４に対して行う事前準備処理について説明する。この事前準備処理は、主催者Ｙが、携帯情報端末４０３を用いて行う。
主催者Ｙは、携帯情報端末４０３を用いて、ポスター４０９Ａ〜４０９Ｅに取り付けたビーコン端末４０８Ａ〜４０８ＥのビーコンＩＤと、探索開始条件と、デジタルスタンプデータとを登録する。登録方法は、依頼人連絡先の入力の代わりにデジタルスタンプデータの登録をする以外は、第１実施形態と同様である。この例では、条件ＩＤを「４」に設定して、探索開始条件を、スタンプラリー開催期間（例えば、２０１４年２月１日１０時から２０１４年２月２８日２０時まで）とする。また、デジタルスタンプデータは、この例では、画像データとする。
【００７８】
管理サーバ４０４の制御部４４０は、携帯情報端末４０３から受信した探索条件情報を、条件内容テーブル５１と、ビーコン管理テーブル５２とを更新する。例えば、条件ＩＤを「４」に設定して、探索開始条件を、時間帯（例えば、２０１４／２／１  １０：００〜２０１４／２／２８  ２０：００）とする。また、制御部４４０は、携帯情報端末４０３から受信したデジタルスタンプデータを、デジタルスタンプテーブル４５４に記憶する。そして、管理サーバ４０４は、携帯情報端末４０３に対して登録完了通知を送信する。
携帯情報端末４０３は、管理サーバ４０４から送信された登録完了通知を受信する。そうすることで、携帯情報端末４０３の主催者Ｙは、探索開始条件が設定完了したことを知ることができる。
【００７９】
＜携帯情報端末４０１の処理＞
次に、携帯情報端末４０１の処理について説明する。
図１８は、第４実施形態に係る携帯情報端末４０１での処理を示すフローチャートである。
本処理の前提として、携帯情報端末４０１には、事前に探索プログラムがインストールされている。
また、以下に説明する携帯情報端末４０１の処理は、探索プログラムの実行中には、常に繰り返し実行されるものである。
【００８０】
Ｓ４１０において、携帯情報端末４０１の制御部（電波受信部）は、ビーコン電波を受信したか否かを判断する。携帯情報端末４０１が、ビーコン端末４０８（４０８Ａ〜４０８Ｅのいずれでもよい）からのビーコン電波の受信範囲内（例えば、１０ｍ以内）に存在する場合には、制御部は、ビーコン電波を受信することができる。ビーコン電波を受信した場合（Ｓ４１０：ＹＥＳ）には、制御部は、処理をＳ４１１に移す。他方、ビーコン電波を受信していない場合（Ｓ４１０：ＮＯ）には、制御部は、本処理を終了する。
【００８１】
Ｓ４１１において、制御部（情報送信部）は、電波検知情報を、管理サーバ４０４に送信する。電波検知情報は、Ｓ４１０で受信した電波に含まれるビーコンＩＤを含む。また、電波検知情報は、この携帯情報端末４０１の端末ＩＤを含む。
なお、電波検知情報を受信した管理サーバ４０４での処理は、後述する。
Ｓ４１２において、制御部は、所定時間内に管理サーバ４０４からデジタルスタンプデータを受信したか否かを判断する。管理サーバ４０４では、探索開始条件を満たす場合には、デジタルスタンプデータを携帯情報端末４０１に送信する。所定時間内にデジタルスタンプデータを受信した場合（Ｓ４１２：ＹＥＳ）には、制御部は、処理をＳ４１３に移す。他方、所定時間内にデジタルスタンプデータを受信していない場合（Ｓ４１２：ＮＯ）には、制御部は、本処理を終了する。
【００８２】
Ｓ４１３において、制御部（入力画面出力部）は、タッチパネルディスプレイにデジタルスタンプを表示させる。その後、制御部は、本処理を終了する。
デジタルスタンプは、図１６に示すようなものである。参加者は、これを携帯情報端末４０１の記憶部に保存できる。
Ｓ４１４において、制御部は、クーポンＩＤを受信したか否かを判断する。全てのスタンプデータを集めた場合には、携帯情報端末４０１は、管理サーバ４０４が送信したクーポンＩＤを受信できる。クーポンＩＤを受信した場合（Ｓ４１４：ＹＥＳ）には、制御部は、処理をＳ４１５に移す。他方、クーポンＩＤを受信していない場合（Ｓ４１４：ＮＯ）には、制御部は、本処理を終了する。
Ｓ４１５において、制御部は、クーポンＩＤをタッチパネルディスプレイに表示する。その後、制御部は、本処理を終了する。
【００８３】
＜管理サーバ４０４の処理＞
次に、管理サーバ４０４の処理について説明する。
図１９は、第４実施形態に係る管理サーバ４０４での探索処理を示すフローチャートである。
なお、以下に説明する管理サーバ４０４の探索処理は、電波検知情報を受信するたびに実行されるものである。
Ｓ４４０からＳ４４４までは、図５（第１実施形態）のＳ４０、Ｓ４１、Ｓ４４、Ｓ４６及びＳ４７までと同様である。なお、Ｓ４４４において探索フラグがＯＮである場合（Ｓ４４４：ＮＯ）には、制御部４４０は、処理をＳ４４７に移す。
【００８４】
Ｓ４４５において、制御部４４０（条件判断部４４３）は、条件内容テーブル５１を参照して、該当のビーコンＩＤに対応する条件内容を参照する。そして、制御部４４０（条件判断部４４３）は、電波検知情報の受信日時が条件の期間内であるか否かを判断する。電波検知情報の受信日時が条件の期間内である場合（Ｓ４４５：ＹＥＳ）には、制御部４４０は、処理をＳ４４６に移す。他方、電波検知情報の受信日時が条件の期間内ではない場合（Ｓ４４５：ＮＯ）には、制御部４４０は、本処理を終了する。
Ｓ４４６において、制御部４４０（フラグ変更部４６）は、ビーコン管理テーブル５２の該当のビーコンＩＤに対応する探索フラグをＯＦＦからＯＮに変更する。
【００８５】
ビーコンＩＤが「Ｂ０４１Ａ」の例では、ポスター４０９に取り付けられたビーコン端末４０８Ａが発信したビーコン電波を受信した後の電波検知情報の受信日時が２０１４年２月１日１０時以降であって、かつ期間内であれば（Ｓ４４５：ＹＥＳ）、探索開始条件に合致している。よって、スタンプラリーの開始後になる。他方、電波検知情報の受信日時が２０１４年２月１日１０時より前であれば（Ｓ４４５：ＮＯ）、ビーコン端末４０８Ａが発信したビーコン電波を受信しても、探索開始条件に合致しない。よって、スタンプラリーは開始されない。
なお、探索フラグのＯＮからＯＦＦの変更は、現在日時が期間内から期間外になったことを条件に、制御部４４０が自動的に変更してもよい。また、主催者Ｙが携帯情報端末４０３を操作してＯＦＦにしてもよい。
【００８６】
Ｓ４４７において、制御部４４０（通知部４４４）は、デジタルスタンプテーブル４５４を参照して、ビーコンＩＤに対応するデジタルスタンプデータを、携帯情報端末４０１に対して送信する。
Ｓ４４８において、制御部４４０は、端末ＩＤと、ビーコンＩＤとを対応付けて記憶部４５０に記憶させる。
Ｓ４４９において、制御部４４０は、記憶部４５０に記憶された端末ＩＤと、ビーコンＩＤとの対応付けを参照して、その端末ＩＤにおいて全てのスタンプを収集済であるか否かを判断する。この例では、スタンプラリー開始後に携帯情報端末４０１がビーコン端末４０８Ａ〜４０８Ｅからのビーコン電波を受信している場合には、全てのスタンプを収集済である。全てのスタンプを収集済である場合（Ｓ４４９：ＹＥＳ）には、制御部４４０は、処理をＳ４５０に移す。他方、全てのスタンプを収集済ではない場合（Ｓ４４９：ＮＯ）には、制御部４４０は、本処理を終了する。
Ｓ４５０において、制御部４４０は、記憶部４５０に予め記憶されているクーポンＩＤを、携帯情報端末４０１に送信する。その後、制御部４４０は、本処理を終了する。
【００８７】
このように、第４実施形態によれば、以下のような効果がある。
（１）探索システム４００は、ビーコン端末４０８Ａ〜４０８Ｅからのビーコン電波を使用して、スタンプラリーを実施できる。また、スタンプラリー参加者は、自分の携帯情報端末４０１に探索プログラムをインストールするという簡単な操作によりスタンプラリーに参加できる。
（２）主催者Ｙは、管理サーバ４０４に予めスタンプラリーの開催期間を登録しておけば、開催期間が到来すれば自動的に開催可能にできる。よって、開始のための行為をその場で行わずに済むので、手間がかからないものにできる。
【００８８】
（第５実施形態）
第５実施形態では、複数台の携帯情報端末によって探索物を探索して発見を通知するものを説明する。
＜探索システム５００＞
図２０は、第５実施形態に係る探索システム５００の全体構成図及び管理サーバ５０４の機能ブロック図である。
探索システム５００は、複数台の携帯情報端末１（例えば、１Ｘ，１Ｙ，１Ｚ）と、携帯情報端末３と、管理サーバ５０４と、ビーコン端末８とを備える。
複数台の携帯情報端末１は、第１実施形態の携帯情報端末１と同様の構成である。
ビーコン端末８が移動することで、複数台の携帯情報端末１と、各々ビーコン端末８とが近づいた場合に、発信するビーコン電波を受信することになる。
【００８９】
＜管理サーバ５０４＞
管理サーバ５０４は、制御部５４０と、記憶部５０と、通信Ｉ／Ｆ部５９とを備える。
制御部５４０が備える条件判断部５４３は、条件マスタテーブル５３の条件ＩＤが「４」の場合の探索開始条件の判断を行う。
【００９０】
＜事前準備処理＞
次に、探索システム５００による処理の前提として、犬９の依頼人が管理サーバ５０４に対して行う事前準備処理について説明する。この事前準備処理は、例えば、依頼人が、携帯情報端末３を用いて行うことができる。
事前準備処理は、条件ＩＤを「４」に設定し、条件内容を条件ＩＤが「４」に対応した条件になるように指定する以外は、第１実施形態と同様である。
本実施形態では、時間間隔と端末数とを設定する。つまり、ある時間間隔の間にビーコン電波を受信した端末数が極端に多い場合には、平常とは異なる状態であると判断され、ビーコン端末８を取り付けた犬９が逃げたものと想定するものである。
【００９１】
＜管理サーバ５０４の処理＞
次に、管理サーバ５０４の処理について説明する。
図２１は、第５実施形態に係る管理サーバ５０４での探索条件判断処理を示すフローチャートである。
管理サーバ５０４の探索処理は、図５（第１実施形態）と同様である。
Ｓ５６０において、制御部５４０（条件判断部５４３）は、条件内容テーブル５１（図８参照）を参照して、該当のビーコンＩＤに対応する条件内容を確認する。そして、制御部５４０は、現在時刻からさかぼって設定されている時間範囲内のビーコンＩＤの検知ログを抽出する。
Ｓ５６１において、制御部５４０は、抽出した検知ログから異なる端末ＩＤの数を算出する。制御部５４０は、同じ端末ＩＤを集約することで、異なる端末ＩＤの数を算出できる。
【００９２】
Ｓ５６２において、制御部５４０は、算出した端末ＩＤの数が条件内容テーブル５１に記憶されている条件を満たすか否かを判断する。算出した端末ＩＤの数が条件を満たす場合（Ｓ５６２：ＹＥＳ）には、制御部５４０は、処理をＳ５６３に移す。他方、算出した端末ＩＤの数が条件を満たさない場合（Ｓ５６２：ＮＯ）には、制御部５４０は、処理をＳ５６３ａに移す。
Ｓ５６３において、制御部４４０は、条件内容テーブル５１の条件を満たすと判断する。その後、制御部４４０は、本処理を終了して、探索処理（図５）に戻る。
他方、Ｓ５６３ａにおいて、制御部４４０は、条件内容テーブル５１の条件を満たさないと判断する。その後、制御部４４０は、本処理を終了して、探索処理（図５）に戻る。
【００９３】
ビーコンＩＤが「Ｂ０５０５」の例では、現在時刻からさかのぼって１０分間の間に１００台以上の携帯情報端末１からビーコンＩＤが「Ｂ０５０５」のビーコン電波を受信していた場合（Ｓ５６２：ＹＥＳ）には、探索開始条件に合致している。
【００９４】
このように、第５実施形態によれば、以下のような効果がある。
複数台の携帯情報端末１が、ビーコン端末８からのビーコン電波を検知して、管理サーバ５０４に電波検知情報を送信できる。
そして、管理サーバ５０４では、電波検知情報を受信したことに応じて、検知ログを記憶するので、過去の検知ログの受信状況から、単位時間内の受信端末数が予め設定した許容範囲外になった場合には、平常とは異なる状態であるとして通知できる。
【００９５】
（第６実施形態）
第６実施形態では、宝探しゲームに適用するものを説明する。
＜探索システム６００＞
図２２は、第６実施形態に係る探索システム６００の機能ブロック図である。
探索システム６００は、携帯情報端末６０１と、管理サーバ６０４と、ビーコン端末６０８とを備える。
【００９６】
＜携帯情報端末６０１＞
携帯情報端末６０１は、制御部６１０と、記憶部６２０と、タッチパネルディスプレイ２６と、Ｂｌｕｅｔｏｏｔｈアンテナ２７と、ＧＰＳアンテナ２８と、通信Ｉ／Ｆ部２９との他に、ＮＦＣチップ（Ｎｅａｒ  Ｆｉｅｌｄ  Ｃｏｍｍｕｎｉｃａｔｉｏｎ）６２４と、ＮＦＣ用アンテナ６２４ａとを備える。
制御部６１０は、ビーコン端末６０８が発信したビーコン電波を受信し、管理サーバ６０４に電波検知情報を送信する。また、制御部６１０は、ビーコン端末６０８と、ＮＦＣ用アンテナ６２４ａとが通信を行うことで、ＮＦＣチップ６２４に記憶されているチップＩＤを管理サーバ６０４に送信する。
記憶部６２０に記憶された探索プログラム６２０ａは、上述した制御部６１０の処理を実行するためのプログラムである。
【００９７】
ＮＦＣチップ６２４は、ＮＦＣの規格により作成されたＩＣ（Ｉｎｔｅｇｒａｔｅｄ  Ｃｉｒｃｕｉｔ）チップである。ＮＦＣの規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。ＮＦＣチップ６２４は、ＮＦＣ用アンテナ６２４ａにより、ビーコン端末６０８との間でＮＦＣ規格に準じて近距離無線通信を行う。
ＮＦＣ用アンテナ６２４ａは、ループアンテナである。
【００９８】
＜管理サーバ６０４＞
管理サーバ６０４は、制御部６４０と、記憶部６５０と、通信Ｉ／Ｆ部５９とを備える。
制御部６４０が備える条件判断部６４３は、条件マスタテーブル５３の条件ＩＤが「６」の場合の探索開始条件の判断を行う。
制御部６４０が備える通知部６４４は、位置表示データを携帯情報端末６０１に送信する。
記憶部６５０が備えるクーポンテーブル６５５（特典記憶部）は、順位（順番）と、クーポンＩＤとを対応付けて記憶する。クーポンＩＤが示すクーポンは、順位が上位であるほど、より特典の価値が高い。例えば、順位が１番であれば、１０００円割引のクーポンであり、順位が２番であれば、５００円割引のクーポンである等、順位によりその内容に差を設けている。
【００９９】
＜ビーコン端末６０８＞
ビーコン端末６０８は、宝探しエリア内に配置された宝物６０９（探索物）に取り付ける端末である。
ビーコン端末６０８は、制御部６８０と、記憶部８５と、電波送出部８７との他に、ＮＦＣチップ６８４と、ＮＦＣ用アンテナ６８４ａとを備える。
制御部６８０は、ビーコン端末６０８の全体を制御するＣＰＵである。
ＮＦＣチップ６８４は、ＮＦＣの規格により作成されたＩＣチップである。ＮＦＣチップ６８４は、ＮＦＣ用アンテナ６８４ａにより、携帯情報端末６０１との間でＮＦＣ規格に準じて近距離無線通信を行う。ＮＦＣチップ６８４は、その記憶部（図示せず）にＮＦＣチップを特定するチップＩＤを記憶している。
ＮＦＣ用アンテナ６８４ａは、ループアンテナである。
【０１００】
＜事前準備処理＞
次に、探索システム６００による処理の前提として、宝探しゲーム主催者は、管理サーバ６０４に対して行う事前準備処理について説明する。この事前準備処理は、宝探しゲーム主催者が、登録用携帯情報端末（図示せず）を用いて行う。
宝探しゲーム主催者は、登録用携帯情報端末を用いて、宝物６０９に取り付けたビーコン端末６０８のビーコンＩＤと、チップＩＤと、探索開始条件とを登録する。これは、登録用携帯情報端末が、携帯情報端末６０１と同様の構成を備え、探索プログラム６２０ａの代わりに、例えば、事前登録用プログラム（図示せず）をインストールして実行することで実現できる。登録用携帯情報端末の制御部は、ビーコン端末６０８が送出するビーコン電波を受信する。このビーコン電波には、ビーコンＩＤを含む。
【０１０１】
そして、登録用携帯情報端末の制御部は、条件登録画面（図示せず）から条件ＩＤ（図６参照）を入力する。また、登録用携帯情報端末と、ビーコン端末６０８とを近接させることで、登録用携帯情報端末の制御部は、ビーコン端末６０８とＮＦＣ規格による近距離無線通信を行って、チップＩＤを受信する。宝探しゲーム主催者は、条件ＩＤに対応する探索開始条件と、クーポン情報とを入力する。登録用携帯情報端末の制御部は、受信したビーコンＩＤと、チップＩＤと、条件ＩＤと、探索開始条件と、クーポン情報とを受け付けて、これらの情報を含む探索条件情報を、管理サーバ６０４に対して送信する。この例では、条件ＩＤを「６」に設定して、探索開始条件を、宝探しゲーム開催期間（例えば、２０１４年３月１日１０時から２０時まで）とする。
【０１０２】
管理サーバ６０４の制御部６４０は、登録用携帯情報端末から受信した探索条件情報を、条件内容テーブル５１と、ビーコン管理テーブル５２とに記憶させる。また、制御部６４０は、登録用携帯情報端末から受信したクーポン情報を、クーポンテーブル６５５に記憶する。そして、管理サーバ６０４は、登録用携帯情報端末に対して登録完了通知を送信する。登録用携帯情報端末は、管理サーバ６０４から送信された登録完了通知を受信する。そうすることで、登録用携帯情報端末を操作していた宝探しゲーム主催者は、探索開始条件が設定完了したことを知ることができる。
【０１０３】
＜携帯情報端末６０１の処理＞
次に、携帯情報端末６０１の処理について説明する。
図２３は、第６実施形態に係る携帯情報端末６０１での処理を示すフローチャートである。
図２４は、第６実施形態に係る携帯情報端末６０１の表示例を示す図である。
本処理の前提として、携帯情報端末６０１には、事前に探索プログラム６２０ａがインストールされている。
また、以下に説明する携帯情報端末６０１の処理は、探索プログラム６２０ａの実行中には、常に繰り返し実行されるものである。
【０１０４】
図２３のＳ６１０において、携帯情報端末６０１の制御部６１０（電波受信部１１）は、ビーコン電波を受信したか否かを判断する。携帯情報端末６０１が、ビーコン端末６０８からのビーコン電波の受信範囲内（例えば、５０ｍ以内）に存在する場合には、制御部６１０（電波受信部１１）は、ビーコン電波を受信することができる。ビーコン電波を受信した場合（Ｓ６１０：ＹＥＳ）には、制御部６１０は、処理をＳ６１１に移す。他方、ビーコン電波を受信していない場合（Ｓ６１０：ＮＯ）には、制御部６１０は、処理をＳ６１４に移す。
Ｓ６１１において、制御部６１０（情報送信部１３）は、電波検知情報を、管理サーバ６０４に送信する。電波検知情報は、Ｓ６１０で受信したビーコン電波に含まれるビーコンＩＤを含む。また、電波検知情報は、この携帯情報端末６０１の端末ＩＤを含む。
なお、電波検知情報を受信した管理サーバ６０４での処理は、後述する。
【０１０５】
Ｓ６１２において、制御部６１０は、管理サーバ６０４から位置表示データを受信したか否かを判断する。管理サーバ６０４では、探索開始条件を満たす場合には、位置表示データを携帯情報端末６０１に送信する。位置表示データを受信した場合（Ｓ６１２：ＹＥＳ）には、制御部６１０は、処理をＳ６１３に移す。他方、位置表示データを受信していない場合（Ｓ６１２：ＮＯ）には、制御部６１０は、処理をＳ６１４に移す。
Ｓ６１３において、制御部６１０は、タッチパネルディスプレイ２６に位置表示画面６６２を表示させる。
【０１０６】
携帯情報端末６０１の制御部６１０は、位置表示データを受信した場合には、図２４（Ａ）に示すように、ポップアップメッセージ６６０をタッチパネルディスプレイ２６に表示させる。ここで、宝探しゲーム参加者が宝物６０９の位置を確認したい場合には、「位置を確認する」のボタンを選択することで、制御部６１０は、図２４（Ｂ）に示すような位置表示画面６６２を表示させる。宝探しゲーム参加者は、この画面を見ながら、宝物６０９の現在位置からの距離を確認することができ、宝物６０９に近づくことができる。
なお、この位置表示画面６６２は、一度表示させた後は、携帯情報端末６０１の制御部６１０（電波受信部１１）がビーコン電波を受信した都度更新された位置表示データに基づいて表示するようにしてもよい。その場合には、位置表示画面６６２は、宝物６０９に段々と近づく様子が分かるように更新できる。
【０１０７】
図２３に戻り、Ｓ６１４において、制御部６１０は、ＮＦＣのタグＩＤを受信したか否かを判断する。宝探しゲーム参加者は、宝物６０９を発見した場合に、宝物６０９に取り付けたビーコン端末６０８と携帯情報端末６０１とを近接させる。そうすることで、制御部６１０は、ビーコン端末６０８に備えるＮＦＣチップ６８４のタグＩＤを受信することができる。ＮＦＣチップ６８４のタグＩＤを受信した場合（Ｓ６１４：ＹＥＳ）には、制御部６１０は、処理をＳ６１５に移す。他方、ＮＦＣチップ６８４のタグＩＤを受信していない場合（Ｓ６１４：ＮＯ）には、制御部６１０は、本処理を終了する。
Ｓ６１５において、制御部６１０は、タグＩＤを管理サーバ６０４に対して送信する。
そうすることで、管理サーバ６０４では、後述する順位決定処理を行う。
Ｓ６１６において、制御部６１０は、発見順位データを受信して、タッチパネルディスプレイ２６に表示させる。その後、制御部６１０は、本処理を終了する。
【０１０８】
＜管理サーバ６０４の処理＞
次に、管理サーバ６０４の処理について説明する。
図２５は、第６実施形態に係る管理サーバ６０４での探索処理を示すフローチャートである。
なお、以下に説明する管理サーバ６０４の探索処理は、常時繰り返して実行されるものである。
Ｓ６４０において、管理サーバ６０４の制御部６４０（情報受信部４１）は、携帯情報端末６０１から送信された電波検知情報を受信した否かを判断する。電波検知情報を受信した場合（Ｓ６４０：ＹＥＳ）には、制御部６４０は、処理をＳ６４１に移す。他方、電波検知情報を受信していない場合（Ｓ６４０：ＮＯ）には、制御部６４０は、処理をＳ６４６に移す。
Ｓ６４１からＳ６４５までは、図１９（第４実施形態）のＳ４４１、Ｓ４４３からＳ４４６までと同様である。
【０１０９】
ビーコンＩＤが「Ｂ０６０６」の例（図８参照）では、宝物６０９に取り付けられたビーコン端末６０８が発信したビーコン電波を受信した後の電波検知情報の受信日時が「２０１４年３月１日１０時」以降であり、かつ期間内であれば、探索開始条件に合致している。よって、携帯情報端末６０１は、宝探しゲームを開始する。他方、電波検知情報の受信日時が「２０１４年３月１日１０時」より前であれば、ビーコン端末６０８が発信したビーコン電波を受信しても、探索開始条件に合致しない。よって、携帯情報端末６０１は、宝探しゲームを開始しない。
なお、探索フラグのＯＮからＯＦＦの変更は、現在日時が期間内から期間外になったことを条件に、制御部６４０が自動的に変更してもよい。また、宝探しゲーム主催者が登録用携帯情報端末を操作してＯＦＦにしてもよい。
【０１１０】
Ｓ６４６において、制御部６４０は、探索フラグがＯＮであるか否かを判断する。探索フラグがＯＮである場合（Ｓ６４６：ＹＥＳ）には、制御部６４０は、処理をＳ６４７に移す。他方、探索フラグがＯＦＦである場合（Ｓ６４６：ＮＯ）には、制御部６４０は、本処理を終了する。
Ｓ６４７において、制御部６４０は、携帯情報端末６０１からＮＦＣチップ６８４のタグＩＤを受信したか否かを判断する。このタグＩＤを受信した場合（Ｓ６４７：ＹＥＳ）には、制御部６４０は、処理をＳ６４８に移す。他方、このタグＩＤを受信していない場合（Ｓ６４７：ＮＯ）には、制御部６４０は、処理をＳ６４８ａに移す。
Ｓ６４８において、制御部６４０は、順位決定処理を行う。その後、制御部６４０は、本処理を終了する。
他方、Ｓ６４８ａにおいて、制御部６４０（通知部６４４）は、受信した電波検知情報に含む電波強度の強弱から位置表示データを生成して、携帯情報端末６０１に対して送信する。その後、制御部６４０は、本処理を終了する。
【０１１１】
次に、順位決定処理について説明する。
図２６は、第６実施形態に係る管理サーバ６０４での順位決定処理を示すフローチャートである。
Ｓ６７０において、制御部６４０は、タグＩＤと、端末ＩＤとを対応付けて記憶部６５０に記憶させる。
Ｓ６７１において、制御部６４０は、記憶部６５０に記憶されたタグＩＤと、端末ＩＤとの対応付けを参照して、その端末ＩＤでの発見順位を決定する。
Ｓ６７２において、制御部６４０は、所定の順位内であるか否かを判断する。例えば、クーポンテーブル６５５に設定されたクーポンＩＤが上位１０名までであれば、所定の順位とは、１０位である。所定の順位内である場合（Ｓ６７２：ＹＥＳ）には、制御部６４０は、処理をＳ６７３に移す。他方、所定の順位内ではない場合（Ｓ６７２：ＮＯ）には、制御部６４０は、処理をＳ６７４ａに移す。
【０１１２】
Ｓ６７３において、制御部６４０は、クーポンテーブル６５５を参照して、順位に応じたクーポンＩＤを取得する。
Ｓ６７４において、制御部６４０は、クーポンＩＤを含む発見順位データを生成する。発見順位データは、例えば、「あなたは、宝物をｘｘ番に発見しました。」（ＸＸは、順位を表す。）等と書かれたページデータである。その後、制御部６４０は、処理をＳ６７５に移す。
他方、Ｓ６７４ａにおいて、制御部６４０は、発見順位データを生成する。この場合には、景品であるクーポンＩＤを含まない。
Ｓ６７５において、制御部６４０は、発見順位データを、携帯情報端末６０１に対して送信する。その後、制御部６４０は、本処理を終了する。
【０１１３】
このように、第６実施形態によれば、以下のような効果がある。
（１）携帯情報端末６０１は、ビーコン端末６０８から発信するビーコン電波を受信して管理サーバ６０４に送信する。よって、管理サーバ６０４では、受信したビーコン電波の強弱によって、ビーコン端末６０８が取り付けられた宝物６０９の位置表示データを生成して、携帯情報端末６０１に送信できる。
携帯情報端末６０１では、位置表示データを受信して、宝物６０９からの距離が分かる態様で位置表示画面を出力するので、宝物６０９の位置を参加者に分かりやすく表示できる。
（２）携帯情報端末６０１と、ビーコン端末６０８とは、ＮＦＣチップを利用して両者が近接するまでの位置に近づいたことを検出できる。そして、携帯情報端末６０１は、ビーコン端末６０８のＮＦＣチップ６８４のチップＩＤを受信して管理サーバ６０４に送信することで、管理サーバ６０４では、宝物６０９を発見した順位を把握できる。そして、管理サーバ６０４では、発見順にクーポンを付与できる。
（３）クーポン内容は、順位がより上位であるほど、より特典の価値が高いものになっているので、参加者は、価値が高いクーポンを取得しようとする効果を生じることができる。
【０１１４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【０１１５】
（変形形態）
（１）第１実施形態では、ビーコン端末８は、ビーコンＩＤを含むビーコン電波を発信するものであった。しかし、ビーコン端末は、生体センサ（生体情報検出部）を備え、この生体センサが検出した情報を含んだビーコン電波を発信してもよい。生体センサは、探索物（例えば、犬）の脈拍数を検出するものであってよい。そのようにすることで、平常時の脈拍数の範囲を探索開始条件に設定し、平常時とは異なる脈拍数を検知した時に通知をする、という設定をすることができる。なお、生体センサは、平常時との違いを検出できるものであれば、脈拍数の検出に限定されない。
【０１１６】
（２）第１実施形態では、探索対象時間内に探索地区外でビーコン端末８からの電波を受信した場合に、探索フラグをＯＮにして依頼人Ｘの携帯情報端末１に通知するものを説明した。しかし、管理サーバは、探索地区外を設定せず、異なる時刻にビーコン電波を検知した複数の携帯情報端末の位置情報の距離差が許容範囲外であるという条件を設定して、その条件を満たす場合に、探索フラグをＯＮにして依頼人に通知するものであってもよい。この場合には、地区を指定せずに、ビーコン端末を取り付けた探索物が移動したことを検知することで、探索開始できる。
【０１１７】
（３）第１実施形態では、探索物として犬９を例にして説明した。しかし、その他のペットであってもよいし、ペット以外に人物（子供、高齢者等）であっても、適用できる。その場合には、日常生活での活動範囲外を条件内容に設定することで、日常とは違う場所及び違う時間の少なくともいずれかで活動した場合に、通知ができる。また、生物に限定されず、自転車等の物であってもよい。
（４）第１実施形態では、犬９を探索するものを例に説明をした。しかし、この探索システムは、例えば、探索に限らず、ビーコン端末を店舗の入口等につけて店舗の開店時刻に合わせた案内情報の提供を行うもの等においても使用できる。
なお、その場合には、設定する時間帯を、日時や、曜日等を含むものにしてもよい。
【０１１８】
（５）第１実施形態では、位置情報をＧＰＳにより取得するものとして説明した。しかし位置情報は、ユーザが手入力した住所等であってもよい。
（６）第１実施形態では、管理サーバ４が携帯情報端末１から電波検知情報を受信した日時情報を用いて、条件の時間帯に含まれるか否かを判断するものとして説明した。しかし、携帯情報端末１がビーコン電波を受信した日時情報を、電波検知情報に含めて送信し、電波検知情報に含まれる日時情報を用いて、条件の時間帯に含まれるか否かを判断してもよい。
【０１１９】
（７）第１実施形態では、情報提供によるクーポンについて、記憶部５０に記憶されているものとした。しかし、このクーポンは、依頼人が事前準備処理で選択してもよい。その場合には、クーポンを、ビーコンＩＤに対応付けて記憶部に記憶してもよい。そのようにすることで、依頼人が、探索物を探索してくれたユーザに対するクーポンを、報酬として予め決めることができる。また、ユーザが情報提供を行う際に、情報入力画面にクーポンの内容を表示してもよい。そうすることで、ユーザは、表示されたクーポンの内容により、情報を入力するか否かを決めることができる。
（８）第１実施形態では、情報提供をした携帯情報端末１にクーポンＩＤで特定される購買で使用可能なクーポンを送信するものとして説明した。しかし、情報提供のインセンティブになるようなものであれば、クーポンに限定するものではない。例えば、購買で使用可能なポイント等であってもよい。
【０１２０】
（９）第１実施形態では、携帯情報端末３に登録用プログラム３５ａをインストールして実行することで、事前準備処理を行うものとして説明した。しかし、登録用プログラムをインストールせず、事前準備処理を行うためのＷｅｂページにアクセスして、Ｗｅｂページ上に入力することで事前準備処理を行ってもよい。
【０１２１】
（１０）第１実施形態から第３実施形態及び第５実施形態では、管理サーバは、依頼人に対する通知を、電子メールで行い、ユーザが提供した情報は、ＵＲＩを遷移することで確認するものとして説明した。しかし、管理サーバは、ユーザが提供した情報を含んだ電子メールを作成して、依頼人に提供してもよい。
【０１２２】
（１１）第６実施形態では、携帯情報端末６０１とビーコン端末６０８とにＮＦＣチップを備えるものとして説明した。しかし、携帯情報端末には、コードを読み取るリーダを備え、ビーコン端末には、コードＩＤが記憶されたバーコードや二次元コードをその表面に記載してもよい。そのようにすることで、管理サーバは、携帯情報端末からコードＩＤを受信して、携帯情報端末が探索物の位置まで到達したことを判断してもよい。
（１２）第６実施形態では、管理サーバ６０４が位置表示データを生成して携帯情報端末６０１に送信することで、携帯情報端末６０１では受信した位置表示データを表示するものとして説明した。しかし、携帯情報端末の探索プログラムに位置表示データを生成する機能を有するようにしてもよい。その場合には、管理サーバでは、位置表示データを生成する処理及び位置表示データを受信するための通信を行わずに済む。
【０１２３】
（１３）各実施形態では、携帯情報端末を識別するものとして端末ＩＤを送信する例で説明したが、これに限定されない。携帯情報端末が特定できるものであればよく、例えば、端末ごとに異なる探索プログラムのＩＤ等であってもよい。
（１４）各実施形態では、管理サーバは、１つのサーバとして説明した。しかし、探索開始条件を満たすか否かを判断する条件サーバと、満たした場合に携帯情報端末に発見通知を行う通知サーバとを別サーバにしてもよい。その場合には、条件サーバがＰｕｓｈ配信サービスを行う通知サーバに対して通知を依頼すればよく、処理分散を図ることができる。
【０１２４】
（１５）第１実施形態から第３実施形態では、携帯情報端末と管理サーバとにより探索開始をするか否かを判断するものとして説明した。しかし、携帯情報端末と管理サーバとの機能を有した一体の探索装置であってもよい。
【符号の説明】
【０１２５】
１，４０１，６０１  携帯情報端末
３，２０３，４０３  携帯情報端末
４，２０４，３０４，４０４，５０４，６０４  管理サーバ
８，３０８，４０８Ａ〜４０８Ｅ，６０８  ビーコン端末
９    犬
１０，４１０，６１０  制御部
１１  電波受信部
１２  位置情報取得部
１３  情報送信部
１４  入力画面出力部
１５  入力情報送信部
２０，６２０  記憶部
２０ａ，６２０ａ  探索プログラム
２７  Ｂｌｕｅｔｏｏｔｈアンテナ
３０，２３０  制御部
３５，２３５  記憶部
４０，２４０，３４０，４４０，５４０，６４０  制御部
４１  情報受信部
４２  フラグ取得部
４３，２４３，３４３，４４３，５４３，６４３  条件判断部
４４  通知部
４５  特典付与部
４６  フラグ変更部
５０，４５０，６５０  記憶部
５１  条件内容テーブル
５２  ビーコン管理テーブル
５３  条件マスタテーブル
６１  情報入力画面
８０，３８０，６８０  制御部
８５  記憶部
８７，３８７  電波送出部
１００，２００，３００，４００，５００，６００  探索システム
２３７  Ｂｌｕｅｔｏｏｔｈアンテナ
３０９  金庫
３８２  加速度センサ
４０９  ポスター
４５４  デジタルスタンプテーブル
６０９  宝物
６２４，６８４  ＮＦＣチップ
６５５  クーポンテーブル
６６２  位置表示画面
Ｎ    通信ネットワーク
【図１】
2015184873.tif 000003
【図２】
2015184873.tif 000004
【図３】
2015184873.tif 000005
【図４】
2015184873.tif 000006
【図５】
2015184873.tif 000007
【図６】
2015184873.tif 000008
【図７】
2015184873.tif 000009
【図８】
2015184873.tif 000010
【図９】
2015184873.tif 000011
【図１０】
2015184873.tif 000012
【図１１】
2015184873.tif 000013
【図１２】
2015184873.tif 000014
【図１３】
2015184873.tif 000015
【図１４】
2015184873.tif 000016
【図１５】
2015184873.tif 000017
【図１６】
2015184873.tif 000018
【図１７】
2015184873.tif 000019
【図１８】
2015184873.tif 000020
【図１９】
2015184873.tif 000021
【図２０】
2015184873.tif 000022
【図２１】
2015184873.tif 000023
【図２２】
2015184873.tif 000024
【図２３】
2015184873.tif 000025
【図２４】
2015184873.tif 000026
【図２５】
2015184873.tif 000027
【図２６】
2015184873.tif 000028